(57)【要約】      （修正有）【課題】大きな労働力を要する複雑な取り付けクリップ等を伴うことなく、簡単に組み立てることができるデッキシステムを提供する。【解決手段】デッキシステム１０であって、複数のジョイスト１２と、上部デッキ表面と、レールと、複数の下部ソケットとを備えており、複数のジョイスト１２が、互いに、平行に渡って間隔をあけて設けられており、上部デッキ表面が、複数のデッキボード１４を備えており、複数のデッキボード１４が、複数のジョイスト１２を横切るそれぞれ長手方向に渡っており、杭部材が、レール部材と上部デッキ表面との間を渡っており、複数の下部ソケットが、それぞれ、中に杭部材の底端を受け入れて形成されており、各杭部材の底端が、解放位置と、固定位置と、の間で上部デッキ表面に対してそれぞれの下部ソケット内で回動可能になっており、杭部材が、杭部材の底端と下部ソケットとの間の組み合い係合によって保持されている。【選択図】図１
2014001623.tif 000002
【特許請求の範囲】
【請求項１】
デッキシステムであって、複数のジョイストと、上部デッキ表面と、レールと、複数の下部ソケットと、を備えており、
前記複数のジョイストが、互いに、平行に渡っており、間隔をあけて設けられており、
前記上部デッキ表面が、複数のデッキボードを備えており、該複数のデッキボードが、複数のジョイストを横切るそれぞれ長手方向に渡っており、かつ、それぞれジョイストに組み合いによる係合のために用意されており、
前記レールが、レール部材と、複数の杭部材と、を備えており、該杭部材が、レール部材と上部デッキ表面との間を渡っており、
前記複数の下部ソケットが、それぞれ、中に杭部材の底端を受け入れている上部デッキ表面に形成されており、
各杭部材の底端が、解放位置と、固定位置と、の間で上部デッキ表面に対してそれぞれの下部ソケット内で回動可能になっており、前記解放位置において、杭部材が、それぞれ下部ソケットの中へ、そして、外へと杭部材の長手方向に摺動可能になっており、前記固定位置において、杭部材が、杭部材の底端と下部ソケットとの間の組み合い係合によって、下部ソケット内に保持されている、
ことを特徴とするデッキシステム。
【請求項２】
レール部材内に複数の上部ソケットが与えられており、該複数の上部ソケットが、それぞれ、中に杭部材の上端を受け入れるものであり、
杭部材の上端が、解放位置と、固定位置との間のレール部材に対してそれぞれ上部ソケット内で回動可能であり、前記解放位置において、杭部材が、それぞれ上部ソケットの中へ、そして、外へと杭部材の長手方向に摺動可能になっており、前記固定位置において、杭部材が、杭部材の底端と上部ソケットとの間の組み合い係合によって、下部ソケット内に保持されている、
ことを特徴とする請求項１に記載のデッキシステム。
【請求項３】
上部デッキ表面が、更に、外板を備えており、
前記外板が、ジョイストの端を渡っており、かつ、中に複数の下部ソケットを含んでいる、
ことを特徴とする請求項１又は２に記載のデッキシステム。
【請求項４】
外板が、下部部分と上部部分とを備えており、
前記下部部分が、組み合い係合によってジョイストに支持されており、
前記上部部分が、下部部分の上面に沿って解放可能に取り付けられるように、用意されており、
上部部分が、中に形成されている、複数の下部ソケットを含んでいる、
ことを特徴とする請求項３に記載のデッキシステム。
【請求項５】
上部デッキ表面が、更に、最外位置にあるジョイストを備えており、
前記最外位置にあるジョイストが、上部デッキ表面の１つの端に沿って平行に渡っており、
最外位置にあるジョイストが、中に形成されている複数の下部ソケットを含んでいる、
ことを特徴とする請求項１乃至４の何れか１つに記載のデッキシステム。
【請求項６】
平らな横木が与えられており、該平らな横木が、その上に各ジョイストの１つの端を支持しており、
最外位置にあるジョイストが、下部部分と、上部部分と、を備えており、
前記下部部分が、組み合い係合によって平らな横木に支持されており、
前記上部部分が、下部部分の上面に沿って解放可能に取り付けられるように、用意されており、
上部部分が、中に形成されている、複数の下部ソケットを含んでいる、
ことを特徴とする請求項５に記載のデッキシステム。
【請求項７】
下部ソケットの各々が、１対の直径方向に対向している保持部分を備えており、
前記保持部分が、各杭部材の底端上に形成されている、１対の直径方向に対向している保持部分に、固定位置でそれぞれ組み合いによって係合するように、用意されている、
ことを特徴とする請求項１乃至６の何れか１つに記載のデッキシステム。
【請求項８】
上部ソケットの各々が、１対の直径方向に対向している保持部分を備えており、
前記保持部分が、各杭部材の上端に形成されている、１対の直径方向に対向している保持部分に、固定位置でそれぞれ組み合いによって係合するように、用意されている、
ことを特徴とする請求項２記載のデッキシステム。
【請求項９】
各杭部材の上端に容易に解除可能なロック要素が与えられており、該ロック要素が、ロック要素の係合位置にある固定位置に、杭部材を保持するように、用意されている、
ことを特徴とする請求項８記載のデッキシステム。
【発明の詳細な説明】
【技術分野】
【０００１】
本願は、２００８年１１月１２日出願の米国仮出願Ｎｏ．６１／１１３，７７８と、２００８年１月１８日出願の米国仮出願Ｎｏ．６１／０２１９３１と、の優先権主張を伴うものである。
【０００２】
本発明は、互いに、組み合いによる係合のために用意された構成要素を備えているデッキシステムに関する。より明確には、デッキシステムの、デッキボードとジョイストとはりとが、必要な追加の止め具を伴うことなく、全て、構成要素間の組み合いによる係合によって、互いにしっかりとした固定のために用意された複合材料の形を成している、デッキシステムに関する。
【背景技術】
【０００３】
例えば、住宅などの建築用のデッキ構造の一般的な形態は、塗料を塗ること、又は、継続的な保守、を伴うことなく、完成されたウッドデッキの外観をまねる、種々の複合材料の形を成している表面材料を、伴うものである。この構成の現行のデッキシステムは、しかし、通常、従来からのウッド構造のジョイストとはりとを必要とし、かつ、デッキ表面を下方でジョイストとはりとにしっかりと止めるための、種々の取り付けクリップ、くぎ、ねじ等の次に行う厄介な操作と必要とする。
【０００４】
次の米国特許は、通常、種々の形態のデッキと、他の同様の構成物に、関係するものである。前記米国特許は、Ｇｏｍｅｚの下記特許文献１と、Ｓａｄｒの下記特許文献２と、Ｊｏｎｓｏｎ，ＩＶの下記特許文献３と、Ｗｅｓｔの下記特許文献４と、Ｊａｎｕｓの下記特許文献５と、Ｙｏｄｅｒの下記特許文献６と、Ｒｏｂｅｒｔｓの下記特許文献７と、である。
【先行技術文献】
【特許文献】
【０００５】
【特許文献１】米国特許第５，１０１，７３７号
【特許文献２】米国特許第５，４１７，１６７号
【特許文献３】米国特許第４，０１９，２９８号
【特許文献４】米国特許第６，８０２，２６７号
【特許文献５】米国特許第６，８０２，２６７号
【特許文献６】米国特許第５，９５０，３７７号
【特許文献７】米国特許第３，９１４，９１３号
【０００６】
全ての構成要素が、保守の要らない材料で製造され得る、デッキシステムであって、非常に大きな労働力を要する複雑又は厄介な取り付けクリップ等を伴うことなく、簡単に組み立てることができるデッキシステムは、何れの先行技術文献にも記載されていない。
【発明の概要】
【０００７】
本発明のある観点によれば、下記デッキシステムが与えられている。該デッキシステムは、複数のジョイストと、複数のデッキボードと、複数のジョイストコネクタと、を備えており、
前記複数のジョイストは、互いに、平行に渡っており、間隔をあけて設けられており、
前記複数のデッキボードは、各々、複数のジョイストを横切るそれぞれ長手方向に渡っており、
前記の各デッキボードは、１対の対向側面と、上部デッキ表面とを備えており、
前記１対の対向側面は、デッキボードの端の間にデッキボードの長手方向に伸びており、
前記上部デッキ表面は、デッキボードの上端に沿う対向側面の間に渡っており、
前記複数のジョイストコネクタは、上部デッキ表面に対向するデッキボードの底面内に形成されており、該ジョイストコネクタは、デッキボードの端の間のデッキボードに沿うそれぞれ中間位置で長手方向に互いに間隔をあけて離された位置に設けられており、各デッキボードが、デッキボードのそれぞれ長手方向に横方向に、デッキボードの対抗側面の間に伸びるデッキボードの横方向にあるジョイストに沿う摺動のために用意される、ように、各ジョイストコネクタが、ジョイストのそれぞれの１つに組み合いによる係合をするために用意されている、
ことを特徴とする。
【０００８】
互いに組み合いによる係合のために用意されている、デッキボードと、ジョイストと、はりと、横はりと、レールとを与えることによって、デッキシステムの種々の部品の全てが、迅速、かつ、特別な労力を要することなく、組み立てられる、保守の不要な材料で、簡単に製造され得るものである。更に、デッキシステムの部品が、全て、組み合いによる係合によって、互いに固定され得るため、追加の留め具を使用しなくて良い。
【０００９】
各ジョイストが、上部コネクタを含んでおり、前記上部コネクタが、ジョイストの全長さに渡り、かつ、デッキボードのジョイストコネクタに組み合いによる係合をするように用意されていても良い。各ジョイストに上部コネクタが用意されており、前記上部コネクタが、ジョイストコネクタに組み合いによる係合をするために用意されており、前記上部コネクタが、ジョイストに一体形成されていても良い。更に、前記上部コネクタが、ジョイストの上部部分を備えており、前記ジョイストの上部部分が、それぞれのジョイストの伸張方向に対して直角に、増加している横寸法を伴いながら、上方に伸びている、ものでも良い。
【００１０】
好ましくは、デッキボードは、全体が、ジョイストコネクタの組み合いによる係合によって、ジョイストに固定されるように用意されている。
【００１１】
ジョイストコネクタが、デッキボードの長手方向に垂直な方向に、摺動させるために、ジョイスト上のデッキボードを支持していても良い。
【００１２】
各ジョイストが、断面が連続している外形を有している押し出し成形部材を備えていても良い。
【００１３】
ジョイストコネクタが、好ましくは、建築物の床のジョイスト間の間隔に対応する間隔によって、各デッキボードに沿う間隔をあけられた位置に設けられている。
【００１４】
各ジョイストコネクタが、チャネルを備えており、前記チャネルが、中にそれぞれジョイストの部分を受け入れるように用意するため、デッキボードの底面の対向側面間に、デッキボードを通って伸びていても良い。チャネルが、平らな基部部分を含んでおり、前記平らな基部部分が、デッキボードの上部表面に実質並行となるように方向付けられており、かつ、ジョイストのそれぞれの１つの平らな上エッジにはめ合いによる係合を行うために用意されていても良い。更に、各チャネルが、側壁を含んでおり、前記側壁が、基部部分から、デッキボードの底面で開放されているチャネルの口へと、互いに内側に向けて、テーパー状になっていても良い。チャネルが、実質台形の断面であっても良い。
【００１５】
各チャネルが、デッキボードの対向している外面で１対の口の間に横方向に渡っているとき、各口が、外面に向かって長手方向外側に、寸法が増加していても良い。
【００１６】
各デッキボードの各端が、チャネルの１つの１つだけの部分に対応する、デッキボードの底面に凹所を備えており、この結果、各デッキボードの各端が、ジョイストのそれぞれ１つの部分だけに重なるように用意できるようになっていても良い。
【００１７】
端から端までの構造において、隣接している２つのデッキボードの凹所が、チャネルに対して実質同一の組み合わされた断面を有するように、各凹所が、形成されていても良い。
【００１８】
各デッキボードが、突起部分と、凹所と、を備えており、前記突起部分が、デッキボードの第１端、上部デッキ表面にあり、デッキボードの中で、前記凹所が、デッキボードの第２端、上部デッキ表面にあり、デッキボードが、端から端までの構造において取り付けられているとき、凹所が、重なり構造において、デッキボードの隣接している１つの突起部を受け入れるように用意されていても良い。
【００１９】
各デッキボードの側面の第１の１つが、デッキボードの上面に向かって、上方、内側に、伸びているとき、各デッキボードの第２の１つが、好ましくは、デッキボードの上面に向かって上方、外側に伸びており、この結果、デッキボードに沿う側で支持されているデッキボードの隣接している１つの側面の第１の１つを重ねるように用意できるようになっている。
【００２０】
各デッキボードが、複数の硬い部材を備えており、前記複数の硬い部材が、デッキボードの対向する側面の間と、デッキボードの端の間と、のそれぞれ中間位置で、上部デッキ表面から底面へと、突出しているものであっても良い。
【００２１】
硬い部材が、ジョイスコネクタからの距離増加に伴って、上部デッキ表面とその底面との間の高さが増加していても良い。
【００２２】
平らな横木が与えられており、前記平らな横木が、複数のジョイストの各々の取り付け端を横切る長手方向に渡っており、この結果、複数のジョイストが、平らな横木の長手方向に間隔をあけて設けられている部分で平らな横木に支持されており、平らな横木が、スロットを備えており、前記スロットが、平らな横木の上面に隣接して、長手方向に伸びており、中にデッキボードの部分を受け入れられるようになっていても良い。
【００２３】
本発明の第２の観点によれば、下記デッキシステムが与えられる。該デッキシステムは、複数のジョイストと、複数のデッキボードと、平らな横木と、を備えており、
前記複数のジョイストが、平行に渡っており、互いに間隔をあけて離されており、
前記複数のデッキボードが、複数のジョイストを横切って渡っており、
前記平らな横木が、複数のジョイストの各々の取り付け端を横切って長手方向に渡っており、この結果、複数のジョイストが、平らな横木の長手方向に間隔をあけて離された位置で平らな横木に支持されるようになっており、
平らな横木が、互いに対向しており、平らな横木のそれぞれの端の間に、平らな横木の長手方向に伸びている、第１の直立している側面と、第２の直立している側面と、を備えており、
複数のジョイストコネクタが、平らな横木の第１の直立している側面に形成されており、
ジョイストコネクタが、長手方向に、平らな横木に沿って、互いに間隔をあけて離されており、
各ジョイストコネクタが、組み合いによって係合するように、ジョイストのそれぞれの１つの取り付け端を受け入れるように用意されている、
ことを特徴とする。
【００２４】
平らな横木が、押し出し成形部材を備えており、前記押し出し成形部材が、その長さに沿う実質的に連続している外形を有しており、ジョイストコネクタが、ノッチを有しており、前記ノッチが、平らな横木の長手方向に垂直な連続する外形に形成されていいても良い。
【００２５】
各ジョイストコネクタが、組み合いによって係合している、ジョイストのそれぞれ１つの取り付け端にはめ合っており、この結果、直立している方向に相対的に摺動するように用意され、かつ、ジョイストの長手方向に平らな横木から離れているそれぞれのジョイストの動きを防ぐことができるようになっていても良い。
【００２６】
各ジョイストコネクタが、水平壁を備えており、前記水平壁が、そこに支持されているそれぞれのジョイストのはめ合い表面に組み合いによって係合している平らな横木の第１の直立している側面から突出しており、前記ジョイストコネクタの水平壁が、平らな横木に一体的に形成されていても良い。各ジョイストコネクタの水平壁が、平らな横木の底エッジ直上に間隔をあけて設けられており、材料の角度支持部が、与えられており、該材料の角度支持部が、水平壁の下の間隔をあけられている位置で、水平壁から平らな横木の直立している側面へと渡っていても良い。
【００２７】
複数の予め形成されている留め具孔が、与えられており、該複数の予め形成されている留め具孔が、平らな横木に一体形成されており、ジョイストコネクタの隣接しているものの間の等しく間隔をあけて設けられている位置で、第１の直立している側面から第２の直立している側面へと、平らな横木を通るように伸びていても良い。
【００２８】
各ジョイストが、好ましくは、上部フランジと、該上部フランジに平行、かつ、対向している下部フランジと、上部フランジと下部フランジとの間を渡っているウェブ部分と、を備えており、前記ウェブ部分が、上部、下部フランジよりも狭くなっている。
【００２９】
各ジョイストの取り付け端が、突出部分を備えており、前記突出部分が、ジョイストの残りの部分を越えてジョイストの長手方向に伸びており、各ジョイストコネクタが、中にジョイストのそれぞれの１つの突出部分をはめ合いにより受け入れるように、用意されていても良い。
【００３０】
フック部分が与えられており、該フック部分が、突出部分から下方へと延びており、各ジョイストコネクタが、その上のそれぞれのジョイストの突出部分を支持するように用意されている平らな部分を含んでおり、平らな部分が平らな横木の直立している側面から外側に間隔をあけて設けられており、この結果、フック部分が、平らな横木と、平らな横木の直立している側面との間に受け入れられるようになっている。
【００３１】
平らな横木が、好ましくは、ジョイストの上面の下と、底面の上とに、間隔をあけた位置で、その上に直接、それぞれのジョイストの中間位置を支持するために、用意されている。
【００３２】
各ジョイストコネクタが、弾性的なばね付の保持部材を含んでおり、前記弾性的なばね付の保持部材が、中に受け入れられているジョイストの取り付け端の部分に重なるように用意されており、この結果、平らな横木に対してジョイストの上方への摺動に選択的に抗するように、用意できるようになっていても良い。
【００３３】
ばね付の保持部材の下に開口が与えられており、該開口が、ジョイストの取り付け端から保持部材を、選択的に解放するため、保持部材にアクセスする部分が与えられるように、用意されていても良い。
【００３４】
各ジョイストの端の双方が、突出部分を備えており、前記突出部分が、ジョイストの残りの部分を越えてジョイストの長手方向に伸びており、前記ジョイストの残りの部分の中で、各ジョイストコネクタが、中にジョイストのそれぞれの１つの突出部分をはめ合いにより受け入れるように用意されており、各ジョイストの対向している端で突出部分が、好ましくは、それぞれジョイストの隣接し、対向している上面と底面とに、設けられている。
【００３５】
外板が与えられており、該外板が、平らな横木に対向しているジョイストの端を渡っており、外板が、ジョイストの突出部分に支持されていても良い。
【００３６】
外板が、好ましくは、押し出し成形部材を備えており、前記押し出し成形部材が、外板の長さに沿って継続している外形を有している。外板が、第１部分と、第２部分と、を備えており、前記第１部分が、ジョイストの上部表面に上で面しているものの上で、組み合いによる係合を行うために用意されており、前記第２部分が、第１部分に対して弾性的にばね付けされており、ジョイストの下部表面に下方で面している対応するものの下側で解放可能に係合するように用意されていても良い。
【００３７】
平らな横木が、水平で平らな部材を備えており、前記水平で平らな部材が、ジョイストコネクタ上に間隔をあけて設けられている平らな横木の上面に沿って、平らな横木の長手方向に伸びており、この結果、ジョイストに支持されているデッキボードの部分の上面を超えるように、用意することができるようになっていても良い。
【００３８】
平らな横木が、更に、複数の平らな横木セクションを備えており、前記平らな横木セクションが、端から端までの構造で組み合いによる係合によって、互いに接続されるように、用意されていても良い。
【００３９】
平らな横木セクションが、組み合う方向での相対的な摺動によって組み合いによる係合を行うことによって、互いに接続されるように、用意されており、前記組み合う方向が、平らな横木の長手方向に垂直なものであっても良い。
【００４０】
保持部材が与えられており、該保持部材が、平らな横木の長手方向にある平らな横木セクションに対して摺動するために、平らな横木セクション上に支持されており、保持部材が２つの隣接している平らな横木セクションを横切って渡るように位置決めされているとき、保持部材が、互いに組み合いによって係合している２つの隣接している平らな横木セクションを保持するように、用意されていても良い。
【００４１】
本発明の他の観点によれば、下記デッキシステムが与えられる。該デッキシステムが、複数のジョイストと、上部デッキ表面と、レールと、複数の下部ソケットと、を備えており、
前記複数のジョイストが、互いに、平行に渡っており、間隔をあけて設けられており、
前記上部デッキ表面が、複数のデッキボードを備えており、該複数のデッキボードが、複数のジョイストを横切るそれぞれ長手方向に渡っており、かつ、それぞれジョイストに組み合いによる係合のために用意されており、
前記レールが、レール部材と、複数の杭部材と、を備えており、該杭部材が、レール部材と上部デッキ表面との間を渡っており、
前記複数の下部ソケットが、それぞれ、中に杭部材の底端を受け入れている上部デッキ表面に形成されており、
各杭部材の底端が、解放位置と、固定位置と、の間で上部デッキ表面に対してそれぞれの下部ソケット内で回動可能になっており、前記解放位置において、杭部材が、それぞれ下部ソケットの中へ、そして、外へと杭部材の長手方向に摺動可能になっており、前記固定位置において、杭部材が、杭部材の底端と下部ソケットとの間の組み合い係合によって、下部ソケット内に保持されている。
【００４２】
レール部材内に複数の上部ソケットが与えられており、該複数の上部ソケットが、それぞれ、中に杭部材の上端を受け入れるものであり、杭部材の上端が、解放位置と、固定位置との間のレール部材に対してそれぞれ上部ソケット内で回動可能であり、前記解放位置において、杭部材が、それぞれ上部ソケットの中へ、そして、外へと杭部材の長手方向に摺動可能になっており、前記固定位置において、杭部材が、杭部材の底端と上部ソケットとの間の組み合い係合によって、下部ソケット内に保持されていても良い。
【００４３】
上部デッキ表面が、更に、外板を備えており、前記外板が、ジョイストの端を渡っており、かつ、中に複数の下部ソケットを含んでいても良い。
【００４４】
外板が、下部部分と上部部分とを備えており、前記下部部分が、組み合い係合によってジョイストに支持されており、前記上部部分が、下部部分の上面に沿って解放可能に取り付けられるように、用意されており、上部部分が、中に形成されている、複数の下部ソケットを含んでいても良い。
【００４５】
上部デッキ表面が、更に、最外位置にあるジョイストを備えており、前記最外位置にあるジョイストが、上部デッキ表面の１つの端に沿って平行に渡っており、最外位置にあるジョイストが、中に形成されている複数の下部ソケットを含んでいても良い。
【００４６】
平らな横木が与えられており、該平らな横木が、その上に各ジョイストの１つの端を支持しており、最外位置にあるジョイストが、好ましくは、下部部分と、上部部分と、を備えており、前記下部部分が、組み合い係合によって平らな横木に支持されており、前記上部部分が、下部部分の上面に沿って解放可能に取り付けられるように、用意されており、上部部分が、中に形成されている、複数の下部ソケットを含んでいる。
【００４７】
下部ソケットの各々が、１対の直径方向に対向している保持部分を備えており、前記保持部分が、各杭部材の底端上に形成されている、１対の直径方向に対向している保持部分に、固定位置でそれぞれ組み合いによって係合するように、用意されていても良い。
【００４８】
上部ソケットの各々が、好ましくは、１対の直径方向に対向している保持部分を備えており、前記保持部分が、各杭部材の上端に形成されている、１対の直径方向に対向している保持部分に、固定位置でそれぞれ組み合いによって係合するように、用意されている。
【００４９】
各杭部材の上端に容易に解除可能なロック要素が与えられており、該ロック要素が、ロック要素の係合位置にある固定位置に、杭部材を保持するように、用意されていても良い。
【００５０】
本発明の更なる観点によれば、下記階段システムが与えられる。該階段システムは、デッキと共に使用する階段システムであって、前記デッキが、複数の間隔をあけて離されているジョイストと、複数のジョイストを横切って渡る複数のデッキボードと、を備えており、
前記階段システムが、１対の横はりと、複数のスレッド部材と、を備えており、
前記１対の横はりが、デッキと下部支持表面との間に伸びるように、互いに、平行に支持されており、間隔をあけて離されており、
前記複数のスレッド部材が、１対の横はりの間に、水平に伸びており、
スレッド部材が、その間に組み合いによる係合によって横はりに結合されている。
【００５１】
スレッド部材が、その間に組み合いによる係合によって、全ての横はりが支持されていても良い。
【００５２】
各横はりが、複数の横はりセクションを備えており、前記複数の横はりセクションが、係合位置と解放位置との間で、互いに対して摺動できるように、用意されるように、互いに組み合いによる係合で支持されていても良い。
【００５３】
各横はりの横はりセクションが、垂直方向に互いに対して摺動可能に、用意されていても良い。
【００５４】
スレッド部材が、横はりに組み合っており、この結果、スレッド部材が、係合位置から解放位置への横はりセクションの間の摺動を制限できるようになっていても良い。
【００５５】
各スレッド部材が、その底面にチャネルを備えており、前記チャネルが、解放位置と、スレッド部材が横はりに支持されている係合位置と、間で水平方向に摺動するために、横はりのそれぞれ１つの部分に、受け入れられるように、用意されていても良い。
【００５６】
弾性的なばね付保持部材が与えられており、該保持部材が、係合位置にスレッド部材を保持するように、用意するために、各スレッド部材と横はりの各々との間の相対的な摺動を選択的に防ぐように、用意されていても良い。
【００５７】
レールが与えられており、該レールが、レール部材と、横はり上に間隔をあけて設けられているレール部材を支持する複数の杭部材と、を備えており、スレッド部材が、その中に形成されている杭開口を含んでおり、該杭開口が、それを通る杭部材を受け入れるように用意されており、この結果、杭部材が、係合位置にあるスレッド部材を保持するように、各スレッド部材と横はりの各々の間の相対的な摺動を防ぐことができるようになっていても良い。
【００５８】
レールが与えられており、該レールが、レール部材と、横はり上に間隔をあけて設けられているレール部材を支持している複数の杭部材とを備えており、スレッド部材が、中に形成されている杭開口を含んでおり、該杭開口が、その中で杭部材を支持するように、用意されていても良い。
【００５９】
各横はりが、複数の横はりセクションを備えており、前記横はりセクションが、係合位置と解放位置との間で互いに対して摺動するように用意するため、互いに組み合いによって係合するように支持されているとき、ジョイストコネクタが与えられており、該ジョイストコネクタが、デッキのジョイストの１つに接続されるように用意されており、ジョイストコネクタが、互いに対して摺動するように用意するため、横はりセクションの１つに組み合いによって係合するように、用意されていても良い。ジョイストコネクタが、ジョイストの長手方向において、ジョイストに沿う相対的な摺動を用意するために、ジョイストにはめ合いによって結合されていても良い。
【００６０】
本発明の他の観点よれば、下記デッキシステムが与えられる。該デッキシステムは、複数のジョイストと、はりと、上部デッキ表面と、複数のジョイストコネクタと、を備えており、
前記複数のジョイストの各々が、その長さに沿う継続している外形を有している押し出し成形部材を備えており、
前記はりが、その長さに沿う継続している外形を有している押し出し成形部材を備えており、はりが、はりに沿う間隔をあけた離れた位置で、互いに平行なジョイストを、その上に支持しており、
前記上部デッキ表面が、複数のデッキボードを備えており、デッキボードの各々が、複数のジョイストを横切る、それぞれ長手方向に渡っており、
前記複数のジョイストコネクタが、はりとジョイスト双方に組み合い係合ではりにジョイストを結合するように用意されている。
【００６１】
ジョイストコネクタの各々が、１対の下部フランジを備えており、
前記１対の下部フランジが、はりに沿う相対的な摺動のために、その間ではりを受け入れるように、用意されており、かつ、ジョイストコネクタの各々が、１対の上部フランジを備えており、前記１対の上部フランジが、ジョイストに沿う相対的な摺動のため、その間でそれぞれジョイストを受け入れるように、用意されている。
【００６２】
フランジが、好ましくは、その間でそれぞれの部品を弾性的にクランプするように、用意されている。
【００６３】
各ジョイストコネクタが、気泡型水準器をその上に一体的に支持するように、用意されており、気泡型水準器が、はりが水平方向にあるときを、示すように用意されていても良い。
【００６４】
はりに沿って間隔をあけて設けられている複数の柱と、それぞれの柱上にはりを支持している複数の柱コネクタと、が与えられており、柱コネクタの各々が、ブラケット部分を含んでおり、該ブラケット部分が、その間での相対的な摺動を用意するために、その間での組み合いによる係合によって、はりへの接続を用意されたものでも良い。
【００６５】
柱コネクタの各々が、ブラケット部分と玉継ぎ手接続部と、を含んでおり、該ブラケット部分が、はりに接続するために用意されているものであり、該玉継ぎ手部分が、その間での相対的な枢動を用意するために、ブラケット部分と柱との間にその間にあるものでも良い。
【００６６】
ジョイストコネクタが、ジョイストとはりとに、ジョイストコネクタによる組み合い係合によって、ジョイストがはりに全て接続されるように、用意されていても良い。
【００６７】
本発明の更なる観点よれば、下記構造部材が与えられる。該構造部材は、デッキと共に用いる構造部材であって、
前記デッキが、複数のジョイストと、はりと、平らな横木と、複数のデッキボードと、を備えており、
前記はりが、間隔をあけられた離れた位置でその上にジョイストを支持しており、
前記平らな横木が、ジョイストの１つの端を渡っており、
前記複数のデッキボードが、複数のジョイストを横切って渡っており、
前記構造部材が、本体と気泡型水準器とを有しており、
前記本体が、デッキに対する構造上の支持を与えるように用意されており、
前記気泡型水準器が、本体上に一体的に支持されており、
前記気泡型水準器が，本体が水平方向に支持されているとときを、表示するように用意されている。
【００６８】
本体に形成されているレセプタクルが与えられており、該レセプタクルが、スナップ構造で、中に気泡型水準器を受け入れるように用意されていても良い。
【００６９】
構造部材が、デッキの平らな横木を備えていても良く、コネクタブラケットが、はり又はデッキのジョイストに、固定されるように、用意されている。本体が、モジュール部材を備えており、前記モジュール部材が、中に形成されている一体形成されたレセプタクル又は溝を備えており、気泡型水準器を支持するように、用意されていても良い。
【図面の簡単な説明】
【００７０】
本発明の幾つかの実施例が、添付図面を参照しつつ説明される。図１乃至３４は、デッキシステムの第１実施例を説明している。図３５乃至図４８は、デッキシステムの第２実施例の種々の構成要素を説明している。
【図１】デッキシステムの斜視図である。
【図２】ジョイストの１つの端面図である。
【図３】ジョイストの１つの斜視図である。
【図４】デッキボードの１つの底側を示す斜視図である。
【図５】デッキボードの１つの側面図である。
【図６】デッキボードの１つの底面図である。
【図７】デッキボードの１つの端面図である。
【図８】平らな横木の斜視図である。
【図９】平らな横木に支持されている幾つかのジョイストの斜視図である。
【図１０】平らな横木に接続され、その上にデッキボードを支持している、ジョイストの１つに沿う、垂直平面の断面図である。
【図１１】平らな横木の端であって、それに支持されている、中間にあるジョイストの１つと、最外位置にあるジョイストと、を示しているものの、正面図である。
【図１２】平らな横木セクションの１つの第１はめ合い端の斜視図である。
【図１３】図１２に示した第１はめ合い端にはめ合う、平らな横木セクションの１つの第２かみ合い端の斜視図である。
【図１４】１つに結合された２つの平らな横木セクションの後ろ側の斜視図である。
【図１５】平らな横木セクションの端に支持されている最外位置のジョイストの斜視図である。
【図１６】ジョイストの1つの端に支持されている、表板の斜視図である。
【図１７】組み合いによるジョイストコネクタによってはりに支持されている複数のジョイストの斜視図である。
【図１８】適切な支持柱に支持されているはりの断面立図である。
【図１９】柱コネクタの１つのブラケット位置の斜視図である。
【図２０】杭の上部に支持されているものが、示されている、レール部材の断面立図である。
【図２１】杭の１つの底端の斜視図である。
【図２２】中に杭の１つの底端を支持しているものが、示されている、最外位置にあるジョイストの断面図である。
【図２３】ジョイストの１つの端に支持され、中に杭の１つの底端を支持している、外板を示している断面図である。
【図２４】レール部材の壁取り付けブラケットの斜視図である。
【図２５】デッキシステムのコーナー柱で互いに直角になっている２つのレール部材を支持しているコーナーのブラケットの斜視図である。
【図２６】デッキシステムのコーナー柱で互いに直角になっている２つのレール部材を支持しているコーナーのブラケットの斜視図である。
【図２７】いくつかの構成要素が除去された状態で示されている階段システムの斜視図である。
【図２８】杭部材の垂直面の中にある階段システムの断面立図である。
【図２９】互いに分離して示されている、横はりの１つの、２つの部分の斜視図である。
【図３０】スレッド部材の１つの底側を示している斜視図である。
【図３１】図３０のスレッド部材の底面図である。
【図３２】図３０のスレッド部材の背面図である。
【図３３】階段システムの複数の杭の上部に支持されているものが、示されている、レール部材の斜視図である。
【図３４】図３３によるレール部材の断面図である。
【図３５】構成物が部分的に組み立てられた状態のデッキシステムの斜視図である。
【図３６】デッキボードの１つの斜視図である。
【図３７】ジョイストを取り付ける前の平らな横木の部分断面図である。
【図３８】ジョイストを取り付けた後の平らな横木の部分断面図である。
【図３９】平らな横木の部分の斜視図である。
【図４０】一緒に繋がれた平らな横木の２つの隣接するモジュール部分の斜視図である。
【図４１】平らな横木に支持されている、最外位置にあるジョイストと、中間ジョイストと、の部分断面図である。
【図４２】ジョイストの端に支持されている外板の端面図である。
【図４３】杭部材の１つの底端の斜視図である。
【図４４】杭部材の１つの上部の斜視図である。
【図４５】レール部材の端の斜視図である。
【図４６】レール部材の壁取り付けブラケットの斜視図である。
【図４７】２つの隣接するレール部材用のコーナーのブラケットの斜視図である。
【図４８】階段システムのレール部材の斜視図である。
【００７１】
図面中、同じような参照文字は、異なる図において対応する部分を示している。
【発明を実施するための形態】
【００７２】
添付図面を参照すると、デッキシステムは、概ね参照番号１０で示されている。デッキシステム１０は、種々の構成要素が、全て、組み合いによる係合によって、そして、実質的に何ら必要とされる止め具を伴うこと無く、互いを組み立てるために用意されている、ジョイスト１２と、デッキボード１４と、はり１６と、平らな横木１８と、を備えている。
【００７３】
ジョイスト１２は、平行に支持され、かつ、フロアシステム内で隣接するフロアジョイスト間の間隔に応じた適切な間隔によって互いに間隔があけられるように、用意されている。
【００７４】
各デッキボードが、上に支持されている幾つかのジョイストを横切って渡るように、複数のデッキボード１４は、ジョイスト１２に直交し、ジョイスト１２を横方向に横切るように用意されている。ジョイストコネクタ２２は、各デッキボード１４の底側に沿って間隔をあけた位置に与えられており、前記ジョイストコネクタ２２は、ジョイスト１２のそれぞれの上部と組み合いによる係合を行うように用意されている。
【００７５】
ジョイストが、はりの長手方向に間隔をあけた位置にはりを支持するように、各はり１６は、複数のジョイストを横方向に横切る長手方向に渡っている。ジョイストコネクタ２４は、中でそれぞれのジョイストの下側と、組み合いによる係合を行うため、各はり１６に沿って同じように間隔をあけられている。
【００７６】
ジョイストが、平らな横木の長手方向に間隔をあけて支持されるように、平らな横木１８は、また、各ジョイスト１２の取り付け端２０を横切るそれぞれ長手方向に、渡っている。平らな横木１８は、デッキシステムが取り付けられるべき垂直な支持表面又は壁に対して取り付けるのに適切なものである。平らな横木１８は、また、ジョイストの取り付け端のそれぞれ１つと、組み合いによる係合を行うように、複数のジョイストコネクタであって、それに沿って、間隔をあけて位置決めされている複数のジョイストコネクタ２６を備えている。
【００７７】
全てのジョイストコネクタは、部材の対向端間に、等間隔に開けられた複数の中間位置で、それぞれの部材に沿って間隔をあけて並べられている。中にジョイストコネクタを形成しているそれぞれの部材の長手方向のジョイストコネクタ１つであって、隣り合うものの間の間隔は、デッキシステム用のジョイストを、適切に間隔をあけるためのフロアジョイストの間の間隔に、相当する。
【００７８】
ジョイストとはりとは、その長さに沿う中空コアを備えた、実質均一な断面を有するように、適切な材料から押し出されたものである。代わりに、デッキボード１４と平らな横木とは、典型的には、中実部材を形成するように射出成形されたものである。
【００７９】
次に、特にジョイスト１２を見ると、各ジョイスト１２は、その長さに沿う連続形状を有している、押し出された部材を備えている。各ジョイストの断面は、上部フランジ３０と、下部フランジ３２と、を備えている。上部フランジ３０と下部フランジ３２とは、実質並行で、ジョイストの対向する上端と下端との側に沿って伸びている。フランジの各々は、その全長さに沿って伸びているディペンディングエッジ部分を備えている。前記フランジは、強度のため、対向するフランジ方向に、内側に向けて突出するようになっており、かつ、デッキシステムの種々の構成要素との組み合いによる係合のために用意された係止部を形成するようになっている。２つの側３４で成るウェブは、互いに間隔の空けられている上部、下部フランジの間に渡っている。各ジョイストの２つの側３４は、その外側のエッジに隣り合う上部、下部フランジを繋いでおり、かつ、２つの側３４間の間隔が最も狭くなっている、ジョイストの中央に向けて、互いに内側に向けてテーパー状になるように用意されている。ジョイストの断面が、いくぶん、砂時計のくびれた断面の形状となるように、ウェブの全体の横寸法は、ジョイストの上部、下部フランジよりも狭くなっている。このように、ジョイストの横寸法は、デッキシステムの種々の構成要素とはめ合うのに適切な形状となるように、中央部分から、ジョイストの上端と下端との双方に向けて増加するようになっている。
【００８０】
このように、ジョイストの上部部分は、上部コネクタを備えており、該上部コネクタは、ジョイストの全長さに沿って伸びるように、ジョイストの外形に一体形成されている。上部コネクタは、デッキボードのジョイストコネクタ２２にはめ合い接続するために用意されている。該ジョイストコネクタ２４は、各はり１６に沿う間隔をあけた位置に支持されている。ジョイストの長手方向に直交する横寸法を増加しつつ、上方に伸びている、ジョイストの上部部分を与えることによって、デッキボード上のジョイストコネクタは、デッキボードのジョイストコネクタの断面をジョイストの上部コネクタにはめ合うことによって、ジョイスト上にボードを、完全に支持するため、組み合いによる係合用に、適切に形成され得るものである。
【００８１】
平らな横木にしっかりと固定するために用意されている、ジョイストの取り付け端２０と、取り付け端に対向する自由端２１と、の双方の端は、ジョイストの断面を形成する押し出し成形の後に機械加工され、この結果、前記双方の端は、互いに同じであるが、互いに対向するように、ジョイストの上側と下側との間で逆向きに受け入れられるようになっている。特に、ジョイストの各端は、ジョイストの断面の残りの部分を越えてジョイストの長手方向に沿って伸びている突出部分３６を備えている。平らな横木に接しているジョイストコネクタは、それぞれのジョイストの突出部分を受け入れはめ合うように用意されている。対応するフランジ３０、３２の１つが、隣り合う辺の部分に沿って他のフランジを越えて長手方向に伸びるように、突出部分は、上と下のフランジの１つに隣接するように、用意されている。ジョイストが方向に関しどちらでも使えるように、突出部分の各々は、互いに対向するように、それぞれ、上部、下部フランジの１つに隣接している。
【００８２】
中央リブが、上部、下部フランジの間に等しく間隔のあけられたジョイストの中心位置で上部、下部フランジに対して平行に、２つの側の間に渡りながら、ジョイストの長手方向に伸びるように形成されている。各突出部分は、側壁の部分を備えている。前記側壁の部分は、上部、下部フランジの内の１つに隣接する部分と、中央リブと、の間に渡っており、ジョイストの側部２４の残りの部分を越えて長手方向に伸びている。
【００８３】
各突出部分は、更に、フック部分３８を備えている。フック部分３８の中には、凹所が形成されている。該凹所は、突出部分の中の位置であるが、突出部分を定めているジョイストのフランジのそれぞれ１つに向けて途中まで中央リブを通って内側に広がるように、ジョイストの外側端から内側に間隔を空けられた位置に、ジョイストの側壁３４に形成されている。平らな横木のジョイストコネクタ上へのジョイストの取り付けが、平らな横木上のジョイストコネクタへフック部分を下向きに動かす垂直摺動動作を伴うように、取り付け端では、フック部分は、ジョイストの残りの横断面から外側に間隔をあけた位置で、突出部分から下向きに効果的に広がっている。故に、フック部分は、平らな横木から離れてジョイストの長手方向にジョイストの摺動動作を防ぐ。
【００８４】
各ジョイストの上部、下部フランジの１つは、その中心に形成された溝を備えている。該溝は、フランジの全長さに沿って伸びているジョイストの輪郭につながっている。溝は、気泡型水準器４０を受け取るのに適切なようになっている。気泡型水準器は、液体を有している透明な円柱状の容器を備えており、気泡が容器の水平からの傾きの変化につれて、円筒状の容器に沿って動くことができるようになっている、タイプのものである。気泡型水準器４０が、ジョイストの溝の中に保持されるように、きっちりと溝に受け入れられると、気泡型水準器は、ジョイストが水平状態である時を示すのに役立つ。
【００８５】
次に、デッキボード１４についてみると、各デッキボードは、成形部材を備えている。該成形部材は、２つの対向する側部４４の間のボードの頂部を渡っている上部デッキ表面４２を定めている。前記２つの対向する側部は、デッキボードの長手方向に伸びており、かつ、長手方向に対向する端４６へと伸びている。ジョイストコネクタ２２は、デッキボードの底側であって、デッキボードの長手方向の複数の中間位置に等間隔に形成されると共に、各デッキボードの端の位置に形成されている。
【００８６】
２つの側部４４は、上部デッキ表面に対して非垂直配置となるように、上部デッキ表面に対して傾きをもった状態で、互いに平行に向けられている。特に、各デッキボードの側部２４の第１のものは、デッキボードの底側からデッキボードの上側へと、他の側部に向けて、上方、かつ、内側へと伸びている。側部４４の第２のものは、前記他の側部４４と平行になるように、デッキボードの底側から上側へと向けて、上方、かつ、対向する側部４４から離れるように外向きに伸びている。このように、２つのデッキボードが、同様の構成のほかのものに隣接して置かれると、ボードの１つの側部の第１のものが、隣接するデッキボードの側部の第２のものに部分的に重なるように用意されている。このように、例え、僅かな間隙がデッキボード間に保たれている場合であっても、デッキボードが、デッキボードの間の間隙の上から、その下のジョイストを見たときに、目に見える直線は存在しない。ジョイストは、故に、見えないように実質隠された状態にある。このことは、反射率の高いアルミニウム又は他の金属で作られているときに、特に望ましいことである。
【００８７】
ジョイストコネクタ２２の中間位置の１つは、チャネルを備えている。該チャネルは、デッキボードの対向する側部４４にそれぞれ位置している２つの口４８の間に、ジョイストの長手方向に対して垂直な横方向に渡っている。２つの口は、共に、概ね台形のチャネルを形成している。該チャネルは、デッキボードを横向きに横切って伸びており、平らな内側又は底壁と、１対の側壁と、を備えている。前記平らな内側又は底壁は、上部デッキ表面に平行に横たわっており、かつ、ジョイストの上部フランジに係合するように用意されている。前記１対の側壁は、チャネルの基部からデッキボードの底側のチャネルの開放されている底側へと向けて、互いに内側にテーパー状になっている。コネクタの狭くなっている形状が、デッキボードの吊り上げがジョイストから離れることを防ぐ組み合いによる手法で、ジョイストを係合するように、チャネルの基部から開放されている底へかけての、デッキボードの長手方向について測定された、狭くなっている断面部分の寸法は、ジョイストの上部コネクタ部分の外形にはめ合うように用意されている。
【００８８】
各デッキボードの２つの対向する側部４４は、２つの側壁が、ジョイストに取り付けるデッキボード上のチャネルへとジョイストの端の挿入をし易くするため寸法を増加するために、デッキボードの外側に向かう横方向にある互いから外側へと離れるように次第に変化するように、２つの口が形成されている。口が同様に、チャネルの基部に対するジョイストの上部フランジの挿入をし易くするためボードの頂部に向かう寸法を増加するように、傾斜面は同様に、デッキボードの外側で、口の基部と、上部デッキ表面と、の間を区画している。同様に、傾斜面は、また、ジョイストへのデッキボードの挿入によってジョイストがデッキボードを完全に通るように継続的に導くために、デッキボードの側部４４内の口の内側に与えることができる。
【００８９】
各デッキボードの端４６にあるジョイストコネクタ２２は、端の凹所５０の形の部分的なチャネルを備えている。各端の凹所５０は、凹所を備えている。該凹所は、デッキボードの端に対し、そして、デッキボードの底側に対し、その各側壁において、開いており、かつ、チャネルの基部と底側と双方で、長手方向のチャネルの幅の半分だけに相当する。この手法において、基部から開放されている底側へと伸びている凹所の片側の壁が、各デッキボードの端でジョイストに対するデッキボードの吊り上げに抗する手法で、その中に受け入れられたジョイストの上部フランジの対応する端を部分的に覆うために、下向き、そして、外向きに、傾斜が付けられている一方で、各端の凹所の基部は、対応するジョイストの上部フランジを、ジョイストの中心へと半分だけ向かうように覆うように用意されている。前記ジョイストは、端の凹所５０の双方は、２つのボードが端の構造に対し、端で隣接されているとき、合わされた２つの凹所が、ジョイストコネクタ２２の中間位置の１つを形成するチャネルの各々に実質同じである断面を有するように、同様に、互いに同じような断面に形成されている。
【００９０】
複数の補強リブ５１が、上部デッキ表面からデッキボード側部４４の高い部分だけ底側へと下向きに向けて伸びるために、各デッキボードの開放されている底側に形成されており、これによって、該補強リブ５１の全ての底側が、ジョイストコネクタ２２のチャネルを形成する口の基部を備えている共通の平面で終わるようになっている。補強リブは、それ故、デッキボードがジョイストに支持されているとき、ジョイストの上部フランジに係合するように用意されている。補強リブ５１は、長手方向に間隔をあけて設けられている位置で横方向に伸びるように、ジョイストコネクタ２２に一直線となるように、側部４４の間に間隔をあけて設けられている位置でボードの対向する端の間の長手方向に伸びている、複数の中間位置に与えられている。
【００９１】
各デッキボードの傾斜している側部４４と同様に、端４６は、また、デッキボードが、端の構造に対し端で隣接されているとき、互いに重なるように構成されている。より詳しくは、上部デッキ表面４２で、デッキボードの端の第１のものの１つは、突起部５２を含んでいる。該突起部５２は、デッキボードの横方向全幅に伸びており、かつ、デッキボードの長手方向に、その残存部分を越えて突出している。突起部５２は、上部デッキ表面に上方向、外向きに傾斜している。代わりに、突起部５２に対向する端の第２のものの１つは、上部デッキ表面４２で、凹所５４を含んでいる。該上部デッキ表面は、突起部５２をはめ合いによって受け取るように、ボードの横方向全幅に伸びている。より詳しくは、デッキボードの端は、端に対して、端で隣接している隣接するデッキボードの同様に傾斜している突起部５２をはめ合いによって受け取るように、第２の端で、上部デッキ表面４２に上方向、内向きに傾斜するように形成されている。
【００９２】
デッキボードは、例えば、１６インチ間隔で、建築基準に従う従来のデッキ内のジョイスト間の標準の中心から中心への測定値に相当する長さを有するように製造されている。デッキボードの幅は、変更することができる。
【００９３】
さらに、上部デッキ表面は、互いに隣接し、長手方向に伸びている、複数のデッキボードの外観を表すために、上部デッキ表面に形成された圧痕が与えられている。示されている実施例において、各デッキボードは、多くの異なる幅のボードであって、多くの異なる長さのボードの画像が、ランダムなデッキ表面の外観を与えるため、その上に押印されている。留め具を現している、圧痕又は他の同様な証印が、また、従来のデッキ構造と同様に、留め具によって固着された木目の外観を与えるように上部デッキ表面に与えられている。
【００９４】
平らな横木１８を見てみると、示されている実施例によると、平らな横木は長手方向に長くなるように射出成形されている。ジョイストコネクタ２６は、平らな横木１８の中で、長手方向に間隔をあけた位置で、その上に形成されている。平らな横木は、それに沿って、互いに間隔をあけた位置でジョイストコネクタを形成する第１の直立側面と、ボードの対向する端の間に、平らな横木の長手方向に同様に伸びるように、第１の直立側面に対向する第２の直立側面と、を備えている。平らな横木は、平らな横木の第２の直立側面が壁等の平らな直立支持表面に対して取り付けるために平らになるように、その後ろ側を横切って渡る複数の補強リブを有している後壁６０を備えるように形成されている。平らな横木は、更に、互いに、平行かつ間隔をあけられており、後壁６０から平らな横木の第１の直立側面又は前側面へと向かって、前方に、それぞれ突出するように、平らな横木の頂部側面と底側面とに隣接する長手方向に伸びている、上部フランジ６２と、下部フランジ６４と、を備えている。
【００９５】
ジョイストコネクタの各々は、後壁から平らな横木の前側面へと延びている１対の直立側壁６６を備えている。前壁６８は、２つの壁の間に渡っており、かつ、上部部分に開口を含んでいる。前記開口は、前壁の中と、前壁と後壁６０との間の空間の中とに、その中にジョイストのそれぞれ１つの突出部分とフック部分とを受け入れるのに適切なソケットを定めている。前壁６８内の開口の底で、平らな部分７０が与えられている。該平らな部分７０が、概ね水平な支持表面を備えている。該概ね水平な支持表面が、前壁から、後方壁又は後壁６０へ途中まで向かって、後方に伸びており、この結果、空間が、平らな横木の平らな部分７０と後壁６０との間に残るようなっている。追加の平らな横木７０において、各ジョイストコネクタを定めている前壁６８の開口の底で、２つの側面７２が、ジョイストコネクタの前壁６８と平らな横木の後壁６０との間の開口の側面を渡っている。前記平らな横木において、２つの側面７２は、上部フランジ６２へと向かうジョイストの横向きの寸法の増加に合うように、平らな部分７０から上部フランジ６２へと、互いに上向きに、かつ、離れる向きに、傾斜が付けられている。ジョイストの取り付け端を垂直に摺動させるため、上部から下方のジョイストコネクタのそれぞれへと、ジョイストを挿入するための手段を用意するのと同様に、上部フランジ６２を通って、各ジョイストコネクタ２６を形成している開口が、上部フランジ６２を通って伸びている。平らな部分７０の後方、下側に間隔をあけた所に、取り付け位置に、そこに係合されたジョイストのフック部分の自由端を受け取る、同様の水平面の形状で、第２の平らな部分が与えられている。
【００９６】
平らな横木の最初の側面で、各平らな部分７０より下に間隔をあけた位置に、また、ジョイストコネクタの前壁６８から、平らな部分７０下に間隔のあけられた更に平らな部分を定めるために、ジョイストの正面へと、前方に突出している底壁の形状の底部分７４が与えられている。突出部分が平らな部分７０に係合し、かつ、フック部分が平らな部分７０の下、後方の第２の平らな部分に係合したとき、ジョイストの底フランジ、又は、底側面が、前記平らな部分７０上に係合する。底部分７４は、ジョイストコネクタ２６と平らな横木の残りの部分とによって、一体的に型成形され、形成されている。更に、底壁に対し、垂直方向に伸びているガゼットが、追加された構造上の支持のたに、ジョイストコネクタの前壁６８に連結する底部分７４の上と下との双方に用意されている。
【００９７】
平らな横木のジョイストコネクタ２６の各々は、更に、平らな部分７０の下側の位置に、弾性的なばね付の保持部材７８を備えている。前記保持部材７８は、ばね付の保持部材７８と底部分７４の底壁との間にあるジョイストの下部フランジを選択的に保持するためにジョイストの下部フランジの厚みに相当する間隔をあけることによって、底部分７４上に直接位置合わせされている。ばね保持部材７８は、それより自由端へと下方に伸びるように、ジョイストコネクタの前壁６８に連結されている。前記自由端は、ジョイストの下部フランジの内側表面に備えられている突起物に対して、前方へと付勢されている。ばね付の保持部材７８の傾斜の付けられた外側表面は、部材７８が、ジョイストの取り付け端のジョイストコネクタへの挿入によって、ジョイストの下部フランジが部材７８によって底壁へと通ることができるように、自動的に後方にそらされるようにする。ジョイストコネクタ２６の底部分７４に下側で接している保持部材の自由端の向こう側にある下部フランジの通路上に依存するが、しかしながら、部材７８の弾性的な性質は、それが、さらに、ジョイストコネクタからジョイストを上方に動かし、除去できるように、下部フランジの内側表面に対して前方にそれ、かつ、係合するようにするものである。
【００９８】
所望されるときには、ジョイストの取り付け端から保持部材を選択的に解放するようにばね付保持部材の後方へのアクセスを与えるために、各ジョイストコネクタ２６は、平らな横木の前壁６８と後壁６０との間の底側面で、開口している。フック構成物が、ジョイストを係合している前面に対向している保持部材７８の後方から依存するように、与えられている。フックは、ジョイストがジョイストコネクタ２６から解放することが望まれているならば、保持部材７８を握り、ジョイストから取り外すために、後方へと保持部材を促すために、ねじ回し又は同様のものによるアクセスのために、底面に開口されている。
【００９９】
平らな横木は、ドリップフランジ８０を含んでいる。該ドリップフランジ８０は、平らな横木に沿って伸びているスロット８２を定めるために、上部フランジ６２の上に間隔を空けた位置に、平らな横木の頂部に沿って、水平に、渡っている。スロット８２は、平行な頂部フランジとドリップフランジとの間に形成されており、第１の直立側面に対して前向きに面するように開放されているものである。スロット８２は、その中に平らな横木の部分を受け入れるように、適切に寸法決めされている。該デッキボードは、ジョイスト上に取り付けられた平らな横木の最初の列を形成している。ジョイストが平らな横木のジョイストコネクタに挿入されたとき、ドリップフランジ８０は、間隔によって、ジョイストの上部フランジ上に間隔をあけて設けられる。ドリップフランジ８０がデッキの組み立てられた構成内において、デッキボードの上部デッキ表面の向こう側にぴたりと合うように、前記間隔は、チャネルの基部と上部デッキ表面との間の平らな横木の高さに相当する。
【０１００】
平らな横木は、複数のモジュラーセクション８４を備えている。該複数のモジュラーセクション８４は、平らな横木の長手方向に伸びるように用意されており、端から端にかけての構造が、互いに組み合いによって係合するように結合されている。モジュラーセクション８４は、複数の中間部と１対の端部とを備えている。各モジュラーセクション８４は、組み合い方向にある隣接部の間の相対的な摺動動作のために、組み合いによる係合によって隣接部に結合されるように用意されている。前記組み合い方向は、平らな横木の長手方向に直角であり、かつ、第１と第２の直立側面に直角である。より詳しくは、各モジュラーセクションは、突起８６を含んでいる。該突起８６は、モジュラーセクション８４の端の向こう側、外向きに間隔をあけて設けられており、モジュラーセクション８４の端を定めている端フランジ８８に並行かつ間隔をあけて設けられている、第１取り付けフランジの形状のものである。
【０１０１】
各中間部の開口端で、適切なソケット９０が、隣接モジュラーセクションの突起フランジ８６を受け取るために与えられている。ソケットは、それぞれ、隣接モジュラーセクションの、端フランジ８８と突起フランジ８６と係合するために、間隔のあけられている、第１、第２取り付けフランジ８７を備えている。ガイド部材９３は、ソケットのガイド部材９３と第２取り付け部材８７との間に、ソケット内に突起フランジ８６をぴたりと受け入れるためのソケットを支持している。
【０１０２】
２つの隣接モジュールセクションが、コプレーナ構造へと摺動されたとき、フック部分が、組み立てられ、固定された構造内のモジュラーセクションを保持するように、あるセクションの突起と、他のセクションのソケットと、の間のはめ合い接続によって、それぞれの開口内に受け入れられるように、第２取り付けフランジが、突起フランジ８６上の同様のフック部分８９を受け入れる開口９１を含んでおり、同時に、第１取り付けフランジが、端フランジ８８内の対応する開口９１へとスナップフィットする構造の係合用フック部分８９を備えている。効果的には、各モジュラーセクション８４の各端は、モジュラーセクションの対向する１つの対応開口に選択的な係合を行うために、そこに形成されたばね付の保持部材を含んでいる。双方の開口に対するアクセスが与えられており、この結果、２つのねじ付の保持部材を解放するために、底からフック部材を解放することができるようになっている。このことは、モジュラーセクションが固定された位置から互いに分離した解放位置へと、組み合う方向に互いに相対的に摺動されることを可能にすることを、目的とするものである。
【０１０３】
両端のモジュラーセクション８４は、それぞれ中間モジュラーセクションの１つに係合するための、単一の突起又は単一のソケット９０のみを含んでいる。ただし、単一の平らな横木へと組み立てられた全てのものが、任意の摺動組み合わせコネクタに対し自由となるように形成されているとき、モジュラーセクションの対向する外側端は、この限りでない。代わりに、側部フランジ９２が与えられている。該側部フランジ９２は、平らな横木の端に隣接しているジョイストコネクタ２６に接続された最外位置にあるジョイスト９４に重なるように用意されるように、第１の直立側面の向こう側にある第２の直立側面で、後壁６０から外向きに突出している平らな横木の端で、直立端フランジを形成している。最外位置にあるジョイスト９４は、平らな外側側面を含んでいる。該平らな外側側面は、取り付けられた構成で、垂直方向にあり、かつ、最外位置にあるジョイストの外側を前方へと越えて伸びている、側部フランジ９２によって、密接に重ね合わされている。
【０１０４】
最外位置にあるジョイスト９４は、長手方向に沿って連続形状を有している押し出し部材を備えている。ジョイストは、下部部分９６を含んでいる。該下部部分９６は、平らな横木の端でジョイストコネクタにはめ合い接続されるように用意されており、かつ、平らな横木から前方に突出しており、ジョイストの下部フランジ９８をその上に直接支持している、ジョイストコネクタの、同様の底部分に係合するための中間ジョイストと同様に、同様の形状の下部フランジ９８を含むように用意されている。同様のばね付保持部材が、また、ジョイストコネクタ上に係合された最外位置にあるジョイストを選択的に保持するために与えられている。同様の突出と、フック部分とが、また、底部分上に間隔を空けて設けられているジョイストコネクタの平らな部分を越えて係合するように与えられている。組み立てられた最外位置にあるジョイストが、組み合わされたジョイストとデッキボードとの高さよりも、高い、平らな横木の全高さに渡るように、最外位置にあるジョイストの下部部分９６の外側は、平らで、平らな横木の底の下側にあるように用意されている。
【０１０５】
最外位置にあるジョイストの上部部分１００は、また、上部フランジ１０１を含んでいる。該上部フランジ１０１は、上部フランジと下部フランジとの間において、中間位置にあるジョイスト１２の高さと、同様の高さに、下部フランジ９８上に間隔を空けて設けられているジョイストの長さに沿って渡っている。ジョイストの上部部分の上部フランジ１０１は、それ故、デッキボード１４の端をその上に支持するため、適切な位置に置かれている。最外位置にあるジョイストは、平らな横木のジョイストコネクタの対応する１つに組み合いによる方法で係合している下部部分９６だけを備えている、中間位置にあるジョイストに、平行に渡るように支持されている。
【０１０６】
最外位置にあるジョイストは、また、上部部分１００を含んでいる。上部部分１００が、下部部分の上面に沿ってその取り付けされた位置からすぐに解放されるように用意されるように、上部部分１００は、ともにスナップフィットできる、組み合う外形を用いている下部部分９６に取り付けられている。このことは、他の上部部分の種々の構成に置き換えることを可能にするものである。
【０１０７】
上部部分と下部部分との各々は、空洞外形を備えている。該空洞外形には、相互に係合するフックが、取り付け位置ではめ合い接続のため双方の部分に与えられている。上部部分は、上壁１０２を含んでいる。該上壁１０２は、平らな横木のドリップフランジによって同様に重ねられる、連続するデッキ表面を形成するため、デッキ部材の上部デッキ表面に対して実質平らになるように用意されている。いくつかの適用例において、最外位置にあるジョイストの上部部分１００は、レールシステムが組み立てられたデッキシステムに用いられるとき、それに沿って間隔を空けた位置にある、複数の杭取り付け開口を含んでいる。
【０１０８】
外板１０４は、平らな横木に対向するジョイストの自由端を渡るために与えられている。外板１０４は、その長さに沿って連続している外形の突出部材を備えている。より詳しくは、外板は、下部部分１０６と、上部部分１０８と、を備えており、前記下部部分１０６は、ジョイストの端に組み合いによって係合するように用意されており、前記上部部分１０８は、下部部分の上面に沿って解放可能に取り付けられるように容易されている。
【０１０９】
下部部分は、フック部分周りに伸び、かつ、平らで、ジョイストに取り付けたときに垂直方向に支持されるように用意されている、外側を形成する、ようにフック部分を定めている突出部分内の凹所の形状に沿うように適切に形成されている。保持フランジは、ジョイストの自由端の重複部分の底のエッジを重複させるために、下部部分１０６の内側に沿って伸びている。下部部分の平らな外側が、保持フランジによって下側の、底のエッジへと伸びている。底のエッジは、外板に対して、まっすぐで、底のエッジで終わるものを与えるため、内向きに突出している底フランジに連結されている。
【０１１０】
上部部分１０８は、２つのディペンディングフランジを有している外形の概ねＵ字形状のものである。前記フランジは、下部部分の頂部の対応するフランジに、組み合わせによるスナップフィット係合するように適切に形成されており、これによって、頂部パネルを形成し、かつ、組み立てられたデッキのデッキ表面の部分を形成するように、上面で外板の上部部分の基部を支持するようになっている。前記頂部パネルは、デッキボードの上部デッキ表面に、実質的に平らになるように、ジョイストの上に間隔を空けて設けられている。ジョイストの上部フランジは、自由端で下部フランジの突出部分に対向しており、かつ、その中に形成された縦スロットを含んでいる。該縦スロットは、その中の端から内側に間隔を空けて設けられている上部フランジを横切って伸びており、これによって、その中に外板の上部部分のディペンディングフランジ１１２を受け取るようになっている。ジョイストの上部フランジ内のスロット内に挿入されたディペンディングフランジのはめ合い接続は、その長手方向にあるジョイストから離れて外板の上面のそりに抗するものである。
【０１１１】
最外位置にあるジョイストについて同様に、外板の、複数の異なる上部部分が、与えられている。前記上部部分は、下部部分に解放可能に取り付けるため、互いに同じような構成である。しかしながら、上部部分の１つは、レールが要求されていないところで使用するため、滑らかで、連続している頂部パネルを含んでおり、一方で、第１のものと置き換え可能な他の上部部分は、それに沿って間隔の空けられた位置で、複数の杭取り付け開口１１４を含んでいる。
【０１１２】
はり１６は、また、その長さ方向に沿って継続する外形を有している突起部材を備えている。より詳しくは、はりは、平らな上面と底面と、その間に垂直に伸びている平行な側面と、を有している断面で、概ね矩形のものである。上部溝１２０は、２つの対向している側壁の各々の、隣接するその頂部端であるが、はりの上面から少しだけ下方に間隔を空けた位置に、与えられている。同様に、１対の下部溝１２２が、側壁内に、それぞれ、隣接するはりの底端であるが、底面から少しだけ上方に間隔を空けた位置に、形成されている。溝は、互いに平行に押し出しによって成形されるように、はりの長手方向に伸びている。はりは、所望されるのであれば、可逆とするために、実質的に対称的なものである。
【０１１３】
ジョイストは、はりにスナップフィットする分離構造部品を備えているジョイストコネクタ２４によって、はりに支持されている。各ジョイストコネクタは、２つの下部フランジ１２４を備えている。該２つの下部フランジ１２４は、互いに平行で、かつ、間隔を空けて設けられており、その間にはりをクランプしている２つの下部フランジ１２４を備えているはりの上面の上にまで伸びるように、ともに概ねＵ字形状の中央板１２６に依存している。下部フランジの各々は、針の中に形成されている２つの上部溝１２０内に、それぞれ受け入れられるようになっている、自由端に隣接して留め金部材１２８を、含んでいる。ジョイストコネクタ１２４が、はりの上面上から下方に押すことによって挿入することができるように、フランジは、十分に弾力性を有しているものである。前記挿入は、留め金部材１２８が、溝のところで留め金部材１２８をそろえるのに十分な程、下部フランジを外側に弾性的に曲げるように傾きが付けられており、溝の部分で、フランジの弾力性が留め金部材を溝の中に入り込ませ、それによって、はりから離れるようなジョイストコネクタの上方への動きを防ぐ、ということによって行われる。一度、はりに取り付けられると、しかし、ジョイストコネクタは、溝に沿ってはりの長手方向に摺動することができる。適切な表示が、互いに、ジョイストコネクタの適切な交換、又は、間隔をあけて置く位置を示すために、はりに形成される。
【０１１４】
各ジョイストコネクタは、また、２つの上部フランジ１３０を含んでいる。該２つの上部フランジ１３０は、ジョイストがはりに対して垂直に方向付けられているとき、その間に対応するジョイストを受け入れるために、２つの下部フランジの間の中間位置で中央板１２６の対向する側から上方に延びている。２つの上部フランジ１３０は、また、中央板１２６と概ねＵ字形状のものであり、そこに受け取ったジョイストの下部フランジの形成されたエッジを越えて係合するための、内側表面に形成された留め金部材１３２を、同様に含んでいる。留め金部材は、下部フランジのエッジを越えてぴたりと係合するために、そして、使用時にジョイストコネクタの中央板の頂部にぴたりと係合するジョイストの下部フランジを保持するために、下部フランジの厚みによって、中央板１２６から間隔を空けて設けられている。上部フランジ１３０の弾力性と、留め金部材１３２の傾きの付けられた形状とは、上部フランジが、ジョイストの下部フランジが留め金部材を通過するまで、ジョイストコネクタの下方へとジョイストの挿入によって、外向きに自動的に曲げられる、ということを可能にする。前記通過する位置は、留め金部材が、互いの向きに内側に戻ることを可能にし、これによって、ジョイストをその間にクランプされたスナップフィット構造の状態に保持する。一度、ジョイスに取り付けられると、ジョイストの継続している外形に起因して、ジョイストは、ジョイストコネクタ２４内において長手方向に摺動可能に保持される。
【０１１５】
下部フランジ１２４の１つは、一体的に型成形されたレセプタクル１３４を含んでいる。該レセプタクル１３４は、ジョイストコネクタが一体的に形成されたとき、ジョイストコネクタ上に形成される。該レセプタクル１３４は、ジョイストコネクタにおいて、ジョイスト内の溝にスナップフィットするように用意された水準器と同様の構成の、円柱状水準器を挿入するのに適切に形成されている。水準器がレセプタクル１３４にきっちりと受け入れられ、ジョイストコネクタ２４がはりの上面にスナップフィットされたとき、水準器は、はりの水平方向を表示するように働く。
【０１１６】
はりは、複数の柱コネクタ１３８によって、それぞれ、それに沿って長手方向に間隔を空けて設けられている複数の柱１３６に支持されるように用意されている。各柱コネクタは、ブラケット部分１４０を備えている。該ブラケット部分１４０は、間隔を空けられ、基部を備えた概ねＵ字型の構造を形成する、基部と２つの直立フランジ４２と、を形成している。２つのフランジ１４２は、はりの底端を覆う挿入のために、ジョイストコネクタ２４の２つの下部フランジを構成している。前記はりの底端を覆う挿入は、留め金部材が、はりの上面を超えるジョイストコネクタ２４と同様、はりの底面を越えるブラケット部分１４０のスナップフィットに依存して、はりの下部溝に受け入れられるように与えられている。ブラケット部分の組み合いによる接続と、そこに弾性的にクランプされているはりとは、はりの連続している外形に起因して、はりに沿ってブラケット部分の縦方向の摺動動作を可能にしている。
【０１１７】
玉継ぎ手１４４は、底で柱マウント１４８に接続されている適切なステム１４６に接続するためのブラケットの基部の真下に結合されている。柱マウントは、底板と、中に適切な開口を備えている２つのディペンディングフランジ１５０と、を備えている。前記適切な開口は、柱マウントが、フランジ１５０内の該開口に挿入された適切な留め具によって、柱に留めるために、概ね正方形断面の木製の柱１３６の上端の上に挿入し得るようにするためのものである。玉継ぎ手１４４は、柱１３６と柱コネクタのブラケット部分１４０との間で相対的な、多少の枢動を可能にするものである。ステム１４６は、ステムの長さが、ステムの２つの部品の間での相対的な回転によって調節されることを可能にする、円筒状のケース内にねじ込み式で受け入れられる、ねじ切りされた芯を含んでいる。
【０１１８】
ブラケット部分１４０の底は、中に適切なチャネル１５２を含んでいる。該チャネル１５２は、ブラケット部分を横切る水平方向に玉継ぎ手を適切に受け入れる。ブラケット部分の基部内の中央開口は、その中央に中央ソケット部材１５４を置いている。該中央ソケット部材１５４は、チャネル１５２を通って適切に受け取られている玉の上部位置に係合するためのへこんだ凹所を有しており、これによって、その間での枢動を妨げるものではないが、玉がチャネル内の中心に置かれたときに、チャネルに沿う玉の位置を保持するようになっている。ステムが、柱１３６とはりとの間に調整するため、ブラケット部分に対して、複数の軸周りの枢動のために玉と共に動作可能であるように、玉が、ステム１４６に固定されている。
【０１１９】
レールシステムは、レール部材１６０とデッキ表面との間に伸びている複数の杭部材１６２によって、デッキ表面上に支持されるように用意された手すりの形式のレール部材１６０を備えるように与えられている。杭の各々は、その上端１６４と底端１６６とにリベット留めされている、たる部材を含んでいる細長い柱を備えている。
【０１２０】
複数の下部ソケット１６８は、最外位置にあるジョイストの上部部分と、外板１０４の上部部分と、の中にある杭取り付け開口を含んでいる、デッキの外週面に沿う、杭取り付け開口の形式でデッキ表面に与えられている。杭部材の底端１６６が、杭の解放方向である垂直方向の摺動によって、下部ソケットへと挿入され得るように、底端１６６と下部ソケットは、適切な形状にされている。しかし、一度挿入されると、解放位置から固定位置への９０度の杭部材の回転は、杭の底と、下部ソケットと、の間の相互係合を生じる。この場合、杭部材は、組み合いによる係合によって下部ソケット内に保持され、これによって、杭部材の長手方向の摺動が防がれ、これによって、杭をソケット内に保持する。外板の下部部分と、最外位置にあるジョイストの下部部分とは、各々、杭がソケットに受け入れられたときに、杭の底端を係合するように用意されている内部支持フランジ１６９を含んでいる。少なくとも１つの上向きの突起が、支持フランジ１６９に対して杭部材の底端を中心に置くように、内部支持フランジ１６９に与えられている。各杭が、それ故、追加された構造上の安定性のために、その底端で垂直に間隔を空けられた位置で支持されるように用意されている。
【０１２１】
レール部材１６０は、下部部分１７０と、上部部分１７２と、を含んでいる。下部部分１７０と上部部分１７２とは、デッキの手すりを形成している空洞状に押し出しされた囲いを、形成するように一緒にスナップフィットするように用意されている。下部部分は、中に、長手方向に間隔を空けて設けられている杭取り付け開口１７４を備えている。該開口１７４は、それぞれ杭の上端にはめ合いによる組み合い係合するように、上部ソケット１７６を定めている。杭の上端と、中にそれら受け入れる上部ソケットとは、互いに対して適切に形作られており、これによって、解放方向において、杭部材が、杭部材の長手方向のソケットの中へ、そして、外へと出るように、摺動しながら挿入し得るようになっている。一度挿入されると、杭部材の１／４回転は、杭部材を解放方向から固定方向へと動かす。固定位置では、杭部材は、ソケットから杭の長手方向に更に解放されることを防ぐために組み合いによる係合によって、上部ソケット内に保持される。
【０１２２】
上部、下部ソケット双方への杭の挿入に依存して、レール部材の上部部分１７２は、レール部材が組み立てられたときに、杭の上端を隠すために、その下部部分に取り付け得るものである。レール部材の上部部分１７２は、その空洞内部にあるレールの下部部分に向かって下方へと下がるように、その長手方向に伸びている共通の固定フランジ１７８を含んでいる。固定フランジは、杭部材の全ての上端１６４内に形成されている固定スロット１８０に位置合わせするために用意されている。固定スロット１８０は、各々、その上端に直径方向に伸びているスロットを備えている。該スロットは、固定位置にあるときに、他の固定スロット１８０の全てに共通の長手方向に向けられている。この手法によって、共通の固定フランジ１７０は、一般に一緒に行われる、レールの下部部分への上部部分１７２の取り付けに依存して、全ての固定スロット１８０に組み合いによる係合を行うために、用意されている。スロットに挿入された固定フランジは、一度、レールの上部部分が下部部分に取り付けられると、固定位置から解放位置への杭部材の回転を効果的に防ぐ。
【０１２３】
杭の上端と底端とは、１対の周囲に伸びているスロット１８１を含むように形成されている。スロット１８１は、それぞれのソケットの外周にはめ合っている突起を受け入れるように用意された開放端１８３と、固定位置に杭の更なる回転を防ぐための突起に隣り合うように用意されている末端側終端１８７と、の間に各々伸びている。突起１８５と、開放端１８３と、末端側終端１８７とは、強度を追加するために直径方向に対向する対として与えられている。
【０１２４】
強度を追加するため、各杭部材の底端は、それぞれ最外位置にあるジョイストの上部部分の上を通って伸びるように用意されており、これによって、底端は、強度を増加するために、長手方向に間隔をあけた位置に支持されるようになっている。それぞれ下部ソケット内に、垂直に間隔を空けた位置で底端を支持することは、レールに対する安定性を与えている。
【０１２５】
各レールセクションの端で、適切なアダプタブラケット１８２が、例えば、壁のような、直立した支持表面にレールの端を取り付けるため、又は、レール部材をコーナー柱へと取り付けるため、隣接する端から端までの関係において、レールセクションから隣接するレールセクションへの接続のために与えられている。アダプタブラケット１８２は、各事例で、レール部材の端内に受け入れられるように用意されている。アダプタブラケットは、レールの端に最も近接している、開口を通っている最後の杭部材の上端を受け取るため、その中に開口を含んでいる、水平基部フランジ１８４を備えている。内側フランジ１８６は、内側フランジとレールの端との間の最後の杭部材を受け入れるために、レール部材の端から内側に間隔を空けて設けられている基部フランジの内側端から上方へと伸びている。内側フランジに対向して、垂直端フランジ１８８が設けられている。該垂直端フランジ１８８は、基部フランジ１８４から上方に伸びており、例えば、直立壁に固定するための適切な留め具を受け入れるための取り付け開口を含んでいる。
【０１２６】
壁取り付け用途に、適切な壁ブラケット１９０が、アダプタブラケット１８２を囲んでおり、かつ、中にレールを受け入れ、レールの全周でレールに重なるように、レールの外形に整合する、外形を有している。壁ブラケットは、端フランジ１８８上の１組の取り付けフランジ１９１によって、アダプタブラケット１８２を用いる壁に取り付けられている。前記端フランジ１８８は、端フランジの取り付けフランジと壁との間の壁ブラケットの端を、クランプするように、壁ブラケットの端に重なっている。レールは、それ故、完成された外形を与えるように、壁ブラケット１９０内に挿入される。
【０１２７】
レールのコーナーで、コーナー柱１９２は、より大きな安定を与えるために、杭よりも大きな断面が与えられており、コーナーは、最外位置にあるジョイストと外板とが合う所で、中にコーナー柱１９２の基部を取り付けるために、適切なコーナーブラケット１９４を含んでいる。コーナー柱の上端で、レールコーナーブラケット１９６は、互いに直角の２つレール部材の端を接続するために与えられている。コーナーブラケットは、２つのレール部材に、それぞれ取り付けられている、アダプタブラケット１８２の双方の内側フランジに、取り付けフランジ１９１を垂直方向に摺動可能に受け入れるために、中に適切なスロットを含んでいる。従って、レールコーナーブラケット１９６は、それに組み合いによる係合によって２つの内側アダプタブラケット１８２に順に接続されている、コーナー柱に取り付けられている。順にレール部材をレールコーナーブラケット１９６に接続するために、各レール部材の端に隣接する最後の杭を受け入れるため、アダプタブラケット１８２は、中の基部フランジ内の取り付け開口に、順に位置決めされている。レールコーナーブラケットは、中にアダプタブラケット１８２を取り付け、かつ、中にレール部材の下部部分を受け入れる概ねＵ字状のものを形成する下部部分を、含んでいる。レール部材の上部部分を取り付けた後、コーナーブラケット１９６が、とりつけられる。該コーナーブラケットの上部部分は、２つの対向する端の各々の中にあるレール部材を受け入れ、かつ、接続された２つのレール部材の端を完全に囲うために、レール部材に対するはめ合い外形を有している空洞コネクタを、定めている下部部分の上を、きつく締めている。
【０１２８】
レール部材の中間位置で、適切な連結器１９８が、レール部材の内部に受け入れられた２つのアダプタブラケット１８２の端フランジに、同じような組み合いによる係合によって、端から端まで隣り合っている２つのレール部材を接続するために、与えられている。
【０１２９】
デッキシステムは、更に、参照番号２００で引用され、概ね示されている階段システムを備えている。階段システムは、１対の横はり２０２を備えている。該横はりは、デッキシステムのジョイストから下向きに傾きが付けられて伸びるように連結されるように用意されている。該デッキシステムでは、横はりは、上端から地面又は他の低い支持表面にある底端へとかけて、支持されている。各横はり２０２は、階段システムの各段に相当する水平支持棚２０４を備えている。スレッド部材２０６は、水平支持棚２０４の対応する１対に係合されるべき横はりの間に水平に伸びている各段の上に与えられている。横はりの水平支持棚２０４は、間に伸びている蹴上げエッジ２１０によって、接続されている。各蹴上げエッジ２１０は、中に適切なスロット２１２を含んでいる。該スロット２１２は、スレッド部材がそれぞれ水平支持棚上に支持されているときに、中にスレッド部材の後方エッジを受け入れるために、水平支持棚２０４の真上の位置と一直線になっている。
【０１３０】
各スレッド部材は、階段表面を形成する平らな上表面を有している射出成形部材を備えている。上表面は、フック部分２０８を備えている前エッジに沿って一体形成されている。前記フック部分は、下方へと下がり、下方に間隔をあけられた底へと内側に曲げられ、かつ、スレッド部材の上前エッジの近くにまでおよんでいる。
【０１３１】
底面で、各スレッド部材２０６は、１組のチャネル２１４を含んでいる。該１組のチャネル２１４は、各々が、スレッド部材の前と後方との間に伸びている１対のディペンディング側面部材２１５によって定められている。チャネルは、横はりのそれぞれ水平支持棚の上に沿う水平方向への摺動のために、中に横はりの部分を受け入れるために、それぞれ横はりの１つに一直線状にするために互いから間隔を空けられた位置に設けられている。
【０１３２】
各チャネルは、スレッド部材の後方エッジに口２１７を含んでいる。該スレッド部材は、対向する側面間の横方向の寸法が広くなっており、口から後方エッジの上方、後方へと伸びている傾斜の付けられた表面によって、高さが減少されており、この結果、だんだんと傾斜の付けられている口周りの表面が、横はり上のスレッド部材を水平方向への摺動に依存して、中に横はりの水平支持棚への挿入を容易にすることができるようになっている。スレッド部材は、その間にはめ合い部品の組み合いによる係合によって、スレッド部材を支持するために、関係する水平摺動用に、横はりに組み合いによって係合するように用意されている。
【０１３３】
横はり２０２の各々は、複数のモジュール横はりセクション２２０と、スタート位置用横はりセクション２２２と、の形を成している。各中間セクションは、単一の段に対応しており、かつ、その上面にスレッド部材の１つを支持している水平支持横はり２０４のそれぞれの１つに一直線になるように垂直なセクションを形成している。
【０１３４】
各横はりセクションは、互いに離れている解放位置と、中でセクションが互いに組み合わされている係合位置と、の間で、隣接するモジュールセクションに垂直方向に摺動するように、摺動し、組み合いによる係合を行うように用意されている。その後側に沿って垂直に伸びている各横はりセクション２２０の後方エッジは、適切なキー溝２２４を含んでいる。該キー溝は、垂直Ｕ字型チャネル又はスロットを形成している。該チャネル又はスロットは、隣接する横はりセクションの前エッジとはめ合うようになっている。各横はりセクションの前エッジは、垂直に間隔をあけて設けられているキー２２６を含んでいる。該キー２２６は、解放位置から係合位置へと、相対的に、垂直な摺動を可能にするために、キー溝２２４にはめ合う断面を、含んでいる。
【０１３５】
各横はりセクションの後方にあるキー溝２２４は、解放位置から係合位置へと隣接セクションのキーの上を下方に摺動可能に動かされ得るものである。しかし、係合位置において、適切なストップ部材が、その後方、又は、上方に位置している隣接横はりセクションのキー溝に対して、横はりセクションキーが更に下方に摺動することを防ぐようになっている。係合位置において、水平支持棚２０４は、連結されるべき隣接セクションの正面に形成されている対応スロット２１２に一直線になっているモジュールセクションの上端によって定められている。横はり上へのスレッド部材の取り付けによって、スレッド部材の後方エッジは、間での相対的な垂直方向の摺動を制限し、かつ、係合位置にある２つの隣接する横はりセクションを保持するように、隣接セクションのスロット２１２に受け入れられている。
【０１３６】
スレッド部材は、種々の手段によってモジュールセクションの、それぞれ１つの、その取り付けられた位置に保持され得るものである。弾性的なばね付保持部材２２８は、スレッド部材内の対応チャネル内にあるディペンディングフランジに適切に相互作用するように、その水平支持棚２０４の前エッジに隣接する各モジュールセクションの上に、取り付けられている。横はりの隣接モジュールセクションのスロット内に、スレッド部材を完全に挿入することによって、その前エッジに隣接するスレッド部材のディペンディングフランジ２３０は、ばね付保持部材上に適切に動かされ、結果、保持部材を動かし、かつ、保持部材がフランジを超えて係合されるようにし、かつ、横はりセクションから離れたスレッド部材の返り摺動を防ぐ、ようにする。
【０１３７】
更に、スレッド部材の係合位置において、フック部分２０８は、各水平保持棚２０４に対応する横はりセクションの各々の前の上エッジで突起にはめ合い、この結果、突起２３２がフック部分の上方への移動を防ぐようになっている。この手法において、各スレッド部材は、隣接する横はりセクション内のスロット２１２に受け入れられていることによって、その一方で、スレッド部材が支持されている各水平支持棚の前エッジで、対応突起２３２上で係合されているフック部分２０８によって各スレッド部材の前エッジで上方へのたわみから保持されていることによって、後方エッジでの上方動作から保持されている。スレッド部材の左右への移動は、中に横はりの上端を適切に受け入れるスレッド部材の底面内に定められているチャネルによって制限されている。ばね付保持部材２２８は、次に、横はりセクションの係合位置から離れて、スレッド部材の摺動を防ぐように働く。
【０１３８】
スレッド部材を更に保持するため、杭取り付け開口２３４は、中に１対の下部ソケット２３６を置いている各水平保持棚２０４に一直線と成る２つの間隔の空けられた位置で、スレッド部材を通って伸びている。下部ソケット２３６は、解放位置から固定位置へと杭の回転によって、杭の底端を選択的に保持するため、上述した下部ソケットと、同じように機能する。階段を通り、そして、横はりセクション内の下部ソケットに接続される、杭の挿入によって、更に、スレッド部材の水平方向の摺動が防がれる。更に、その底端に隣接している、各杭周りの放射状の突出は、杭が下部ソケット内に固定されたときに、横はりセクションに対してスレッド部材の上方の動きをも保持するように、杭が通るように受け入れるスレッド部材の上面を、覆い、係合する、ように用意されている。
【０１３９】
各横はりセクションは、２つの成形されたパネルを備えている。該パネルは、中空コア内部を形成するように一緒に留められている。各横はりセクションの２つの組み立てられた側面は、底に受け入れられている突起又はキー２２６の２つの対向する側面と、同様に、キー溝の２つの対向する側面を形成するように組み立てられている。
【０１４０】
横はりの各スタート位置にあるセクション２２２は、後方エッジを備えている。該後方エッジは、隣接する中間位置のモジュールセクションのキーにはめ合う、中にキー溝２２４を備えるようになっている中間位置の横はりセクションと、実質的に同じものである。スタート位置にあるセクションの前エッジは、しかしながら、適切に間隔のあけられた２つの水平支持棚２０４を備えており、これによって、棚の１つが、横はりの中間位置のセクションの段の間の間隔に対応して適切に間隔をあけることによって、他の上方、後方にあるようになっている。双方の棚は、スレッド部材を上に摺動可能に受け入れるため、かつ、ばね付保持部材又レールの杭によって、スレッド部材を保持するために、中間位置のセクションの棚と同じように構成されている。２つの水平支持棚２０４の間の蹴上げエッジは、中に受け入れられている最も低い位置にあるスレッド部材のためのスロット２１２を、同様に含んでいる。
【０１４１】
レール部材の下部部分に形成されている下部ソケットが、レール部材の長手方向に対して傾きが付けられるように、階段システム用のレールは、傾きが付けられて伸びているレール部材を除いて、上述したレールシステムと実質同じように機能する。上部部分は、しかしながら、レールの下部部分内の下部ソケットに組み合いによって係合している各杭の上端のロックスロット内に受け入れられるための、同様の固定フランジを含んでいる。杭部材の全ての上端が、杭部材上端に接続しているレール部材の共通の軸に沿って一直線上になるようにするため、２つの杭部材が、異なる長さの杭部材を備えている各スレッド部材に一直線になるように、杭部材は、適切に間隔をあけて離されている。
【０１４２】
デッキ上の階段システムを支持するため、適切なジョイストコネクタが各横はりに連結される。各ジョイストコネクタは、キー部分２４２を備えている。該キー部分２４２は、モジュラーセクションのキー２２６に実質同じものであり、この結果、キー部分が、横はりのモジュールシステムの後方又は最も上の１つの後方エッジに沿うキー溝２２４に組み合いによって係合され得るようになっている。ジョイストコネクタ２４０は、解放位置から係合位置への下方向きの垂直方向の摺動によって、キー部分２４２に連結されている横はりを備えているデッキシステムのジョイストに連結されるように用意されている。係合位置において、更に、ジョイストコネクタに対する段の下方動作が妨げられており、これによって、段が使用時にジョイストから十分に吊り下げられ得るようになっている。
【０１４３】
ジョイストコネクタは、更に、取り付け部分２４４を備えている。該取り付け部分２４４は、ジョイストの底フランジの向こう側にはめ合い係合において取り付けられるように用意されている２つの対向するクランプの形式のものである。取り付け部分２４４とジョイストの下部フランジの間のはめ合い外形は、ジョイストの長さに沿う取り付け部分の長手方向の摺動を可能にするものである。
【０１４４】
取り付け部分２４４の方向は、キー部分に対して垂直軸周りを中枢とするものであり、これによって、ジョイストコネクタ２４０が、横はりがジョイストに垂直に伸びており、横はりがジョイストに平行に、又は、デッキの側面に沿って、伸びているところで、デッキの側面に沿って、横はりをジョイストに取り付けることができるようになっている。随意のブラケットは、横はりセクションジョイストが互いに平行に支持されているときであって、横はりの幅が等しい数のジョイストの間幅に対応しないところで、ジョイストコネクタの取り付け部分２４４に接続するため、１対の隣接しているジョイストの間を渡るように与えられても良い。
【０１４５】
デッキシステムの種々の部品が、天候に対する強度と抵抗力とのために、適切な材料で製造される。例えば、ジョイストは、アルミニウム、又は、他の適切な強く、軽い材料の押し出し成形されたものである。代わりに、平らな横木、デッキボード、又は、横はりのスレッド部材は、プラスチック、又は、複合材料の射出成形したものであっても良い。例えば、レール部材と外板とは、同様に押し出し成形された、典型的には、プラスチック、又は、複合等を含む軽量仕上げ材であっても良い。
【０１４６】
建物の壁等の直立した支持表面に隣接して組み立てを行うため、平らな横木は、互いにスナップフィットする多様な平らな横木から、適切な長さの平らな横木を選択し、かつ、平らな横木を組み立てる、ことによって、最初に取り付けられる。一度組み立てられると、平らな横木は、成形時平らな横木の中に形成されている適切な留め具開口２５０を通じて留め具を挿入することによって、固定される。
【０１４７】
開口は、多少の調整能力を備えている留め具に応じるために、垂直方向と水平方向とのスロットの組み合わせと同様に、平らな横木の初期留めと位置決めとのためにぴたりとしたくぎのための丸い開口を含んでいる。より長続きする取り付けのためにスロット内に固定された典型的な留め具は、各々隣接している１対のジョイストの間の平らな横木の全長さに祖って互いに対して垂直方向、水平方向の双方に間隔をあけて設けられている位置で、留められているボルト又はラグを含んでいる。
【０１４８】
平らな横木に一体形成されている、気泡型水準器レセプタクルは、気泡型水準器を受容し、これによって、取り付け時、平らな横木の水平方向の表示を与える。取り付けの便宜上、取っ手又はボルトを含んでいる適切な留め具は、平らな横木の後壁の正面に一体成形されたそれぞれの留め具ホルダ２５２内に与えられている。該平らな横木の中で、留め具が、留め具ホルダ内へとスナップフィットするように用意されている。従って、使用に際し、使用者は、留め具ホルダから留め具を取り除き、壁に留めるために、平らな横木の中の開口にそれを挿入して通す。
【０１４９】
一度、平らな横木が固定されると、はり１６が、壁から外向きに間隔をあけられた位置であって、平らな横木として同様に上昇した位置で、地面上に間隔をあけて、平らな横木に平行に、支持される。柱コネクタは、はりに沿って間隔をあけて設けられている複数の位置で、柱上にはりを支持するように使用される。ジョイストコネクタは、また、その上に支持されている一体の気泡型水準器を含んでいる、はりの上に取り付けられている。複数のジョイストが、次に、平らな横木のジョイストコネクタと、全てがスナップフィット構成によるはり上のジョイストコネクタと、の間に渡るように、互いに平行に取り付けられており、これによって、全ての部品が、間を組み合いによる係合によって互いに保持されるようになっている。
【０１５０】
柱の、高さと傾斜とは、次に、はりの基準位置を確実にするために、かつ、はりの向きへと下方に向いている平らな横木から、ほぼ水平になっている一般的で段階的な傾斜をジョイストが有する、ということを確実にするために、調整される。ジョイスト上に一体的に支持されている気泡型水準器は、ジョイストが基準位置にあるとき、又は、それに近い時に、表示を行う。
【０１５１】
一度、ジョイストが適切な位置に置かれると、最外位置にあるジョイストを含め、複数のデッキボードが、ジョイストの上部部分を受け入れることによって、デッキボードの底側面にあるジョイストコネクタ内のジョイストの上に滑り置かれる。デッキボードは、平らな横木に最も近くのデッキボードが中に形成されたスロットを受け入れるまで、ジョイストの自由端から平らな横木に向かって滑り置かれ、この結果、平らな横木のドリップフランジは、デッキボードのデッキ表面に重なる。
【０１５２】
全てのデッキボードの挿入によって、外板は、ジョイストの自由端にぴたりと合う。最外位置にあるジョイストの上部部分と、外板は、レールが与えられているか否かによって、選択されている。レールが、与えられるときは、上部部分が中に形成されている開口を取り付ける杭が与えられている。レールのコーナーブラケット又は壁ブラケットを置くことによって、杭は、下部ソケットに挿入され、レールの下部部分は、上部ソケットへの上端の挿入のために、上端に取り付けられている。全ての杭の１／４回転は、レールの下部部分を杭に、そして、杭をデッキ表面へと、効果的に固定する。レールの上部部分の挿入は、次に、ロックフランジが解放位置へと戻るような更なる回転を防ぐために杭のロックスロットに受け入れられることを、可能にする。レールコーナーブラケットは、デッキのコーナーで面するレール部材の端を閉じる
【０１５３】
その後、使用者は、摺動組み合い係合によって互いにモジュラーセクションを組み立てることによって、階段を組み立てる。スレッド部材を階段のそれぞれのモジュラーセクション上に水平に摺動させることは、互いに対してモジュールセクションの更なる解放を防ぐ。階段の、ばね付保持部材と杭部材とは、次に、横はりのモジュールセクションからスレッド部材の摺動による除去を更に防ぐ。同様に、レールの下部部分を取り付け、杭を回転させ、そして、レール部材の上部部分を取り付けることは、その場所にある全ての杭を固定する。ジョイストコネクタ２４０の使用は、次に、デッキのジョイストから、その後方上端で横はりセクションを吊り上げるように働く。
【０１５４】
多少の接着剤と留め具とは、追加保障のために与えられ、かつ、用いられるが、上述したように、デッキシステムの全ての部品は、追加の留め具を必要とせずに組み合いによる係合によって、部品全体が支持されている、まとまったモジュール構成で組み立てられ得るものである。ばね付保持部材又は回動可能なロック部材の形式の適切な保持部材は、一緒に、部品の追加ロックのために種々の位置に与えられる。
【０１５５】
本デッキシステムは、道具と留め具との必要を完全に無くすものである。全ての部品は、１ピースが次のものに容易にはめ込むことができるように、設計されている。例えば、デッキジョイストは、横はり内、はり上、のスロット又は溝に、フィットし、全てのものの寸法決めは、消費者のために行われている。それらは、ジョイストを持ち上げ、適切な場所にはめ込む必要がある、だけである。デッキは、同一の安心を与えるものである。デッキを適切に配置し、かつ、固定するのに要する時間は、いまや、デッキを適切な場所に滑り置くだけで、数分で実行することができる。
【０１５６】
本発明のデッキシステムの他の利点は、木材が天候によって膨らみ、収縮し、劣化する、ということを含んでいる。ねじ又は釘を用いて上から、デッキを留めるとき、このことは、水が留め具に沿って孔へと浸透することを可能にし、木材の腐敗を加速させてしまう。本デッキの部品は、木材、熱可塑性物質、複合材、又は、型による成形又は押し出し成形することができ、かつ、水を吸わず、腐らない、適切な材料、から作られている。更に、材料は、再生されたもの又は再生可能なものでも良く、かつ、木材よりも火、水に対する耐性のあるものでも良い。
【０１５７】
典型的な木製デッキは、塗料又は染料についての保守が要求される。デッキが複合材のデッキによって構成されていても、木材の下部構造を有しているものは、腐敗する。はりからデッキへの部品は、全て、耐水性樹脂によって作られている。
【０１５８】
木材製品の外側は、典型的には、綺麗な年輪の無いもの、デッキの端にひび、割れ目のあるものがあり、割れることがあり、経年によって縮み、色あせし、望ましく無い外形になる。デッキシステムの部品の幾つかのものは、木質繊維とプラスチック混合材であって、本物の木材の外観であるが、全てこの樹脂セクションから得られる確かな耐水性能を備えているもの、から作られていても良い。
【０１５９】
家主、設営のためだけには、請負業者の雇用、工具の購入を伴わずに、デッキの設営を行うことができる。
【０１６０】
デッキ製造業の請負人は、顧客が少ない施工時間の優れた製品を購入することをお勧めすることができる。
【０１６１】
本発明によるデッキ製造による、廃棄物は、あるとしても非常に少ない。
【０１６２】
図３５乃至４９をみると、デッキシステム１０の第２実施例が、示されている。同じ参照番号は、他の実施例の対応する部分を、示すのに用いられている。換言すれば、以下に示されているものを除いて、デッキシステムの第２実施例の種々の部品の構成は、前の実施例のものと実質同じである。
【０１６３】
図３６に示されているように、デッキボード１４は、補強リブ５１の構成を除いて、前の実施例のものと同じである。ジョイストコネクタの各々に一直線になっている、１対の補強リブは、対向しながら、長手方向に伸びている、側端間のボードを横切るように伸びているものが与えられており、この結果、各ジョイストコネクタに関連している２つの補強リブ５１は、デッキボードの上部表面と、デッキボードが支持されている、下側のそれぞれのジョイストと、の間に垂直に伸びるようになっている。ボードを横切るように伸びている補強リブ５１に加えて、前の実施例にあるように、補強リブは、また、デッキボードの長手方向に伸びるように与えられている。図３６による補強リブ５１は、各々隣接する１対のジョイストコネクタの間の中心位置の高さが、最も高くなるように、ジョイストコネクタの間において、上部デッキ表面から、その底端へかけての高さを増加するように、示されている。高さは、ジョイストコネクタのある最も低い位置から、ジョイストの間の中心の最大の高さへと、徐々に増加するようになっており、これによって、補強リブ５１の高さは、ジョイストコネクタからの距離増加に応じて増加するということができるようになっている。
【０１６４】
第２実施例の平らな横木１８は、その長さに沿う継続する外形を有している押し出し成形部材を備えている。外形は、概ね平らな横木の直立している正面と後側とを定めてる後壁６０を備えている。前の実施例と同様に、複数の補強リブは、同じ厚みで、その後側に沿う平らな横木の長手方向に伸びており、この結果、平らな横木は、前の実施例と同様に支持表面に固定されるように用意されている。
【０１６５】
平らな横木のジョイストコネクタ２６は、中にジョイストを受け入れるように働くために、平らな横木に沿って間隔をあけた位置にノッチ加工によって形成されている。各ジョイストコネクタ位置において、前の実施例と同様に、平らな横木の直立している側面から前方、外向きに間隔をあけて設けられている平らな位置７０が与えられている。前記平らな横木の直立している側面上には、対応するジョイストの突出部分が、係合されるように用意されている。更に、各ジョイストコネクタにおいて、その上に対応するジョイストの部分を支持するための、同様の水平壁を備えている底部分７４が与えられている。底部分７４は、平らな横木の直立している側面の近くにあるようにするため、平らな横木７０に関して、下方、内側の位置に置かれている。ジョイストコネクタの平らな部分７０と底部分７４とは、その押し出し成形によって後壁６０と一体形成されるように、互いに連続して全て形成されている。与えられている材料２００の角度支持が与えられており、これは、平らな横木から伸びているものであり、その上に支持されているジョイストの突出位置に追加の構造上の支持を与えるために、平らな横木の下の間隔をあけた位置で後壁６０に接続されるように、各ジョイストコネクタの底部分を横切っているものである。前の実施例と同様に、平らな横木は、〜ジョイストの上面の下で、かつ、ジョイストの中央リブの位置でジョイストの底側面上に、間隔をあけて設けられている位置で、その上にそれぞれのジョイストの中間位置を支持している。
【０１６６】
第２実施例において、ジョイストコネクタを定めているノッチは、その長手方向に横に平らな横木に形成されているものであり、位置フランジ２０２内に適切に置かれている。該位置フランジ２０２は、平らな横木の後壁６０から離れた位置にある平らな部分７０の自由エッジから、外向きに伸びている。各ジョイストが、平らな横木の長手方向にあるジョイストを位置決めするように、各ノッチでフランジの対向するエッジ間にぴたりと受け入れられるように用意されるように、ノッチは、位置フランジのエッジ内に形成されている。
【０１６７】
各ノッチ内で、位置フランジ２０２の部分は、保持フランジ７８を定めるため、ノッチの形成後に、下向きに折り曲げられている。該保持フランジ７８は、平らな横木の容器本体と、保持フランジ７８を支持している平らな部分７０と、に対して弾性的にばね付けされている。ジョイストは、前の実施例のように、平らな横木の上に垂直方向下向きに摺動しながら挿入される。ジョイストの中央リブは、ジョイストのそれぞれのジョイストコネクタへの挿入によって、自動的に解放位置へと外向きにフランジをそらすように、保持フランジに沿って摺動する。一度、ジョイストの中央リブが保持フランジの底自由エッジを通過すると、フランジの弾性的なばね付け特性は、フランジが、外側に突出し、中央リブに重なり、それ故、ジョイストが、保持フランジが手動で解放されるまで、持ち上げられた上方後ろから、解放位置へと動くことを防いでいる。適切な間隙は、所望によって、解放用に保持フランジにアクセスするため、適切な開放を与えるために、ジョイストの底と、平らな横木の底と、の間に与えられている。
【０１６８】
平らな横木は、同様に、前の実施例に記載されたのと同じドリップフランジ８０を備えている。ドリップフランジ８０は、その長手方向にある平らな横木の全長さに沿う後壁６０から前向きに突出している。ドリップフランジは、適切な高さによってジョイスとコネクタ上に間隔をあけて設けられている位置で、水平方向に外側に伸びており、この結果、ジョイストがジョイストコネクタに支持されているとき、ドリップフランジ８０が、デッキボードの厚みに対応する適切な間隙によってジョイスと上に間隔をあけた位置に保持されるようになっている。従って、スロット８２は、平らな横木の上に沿って定められている。該平らな横木は、ドリップフランジ８０と、平らな横木にその下側で支持されているジョイストと、の間にデッキボードのエッジ部分を受け入れるために、前の実施例と同様に、外向きに面している。この手法において、ドリップフランジ８０は、デッキボードに対して出来上がったエッジを与えると共に、ジョイストと、上にある平らな横木と、の間に蒸気が容易に通過することを防ぐために、デッキボードの上面の部分に重なっている。
【０１６９】
第２実施例による平らな横木は、更に、その長手方向に平らな横木に沿って継続して伸びている、後壁６０の直立している側面へと一体形成されている、頂部取り付けチャネル２０４と、底取り付けチャネル２０６と、を備えている。取り付けチャネルの各々は、継続している外形のものであり、該外形は、２つの対向するエッジを備えている。該２つの対向するエッジは、後壁から外向きに間隔をあけて設けられており、かつ、互いに内向きに突出している。この結果、チャネルは、中に保持されている種々の取り付け板を受け入れるのに適切な、概ねＣ字状の断面になっている。前記取り付け板は、平らな横木の長手方向に摺動可能に保持されている。上部取り付けチャネル２０４は、ジョイストの上部部分によって重ねられているジョイストの上端に一直線になっているドリップフランジ８０の下に位置付けられている。底取り付けチャネル２０６は、ジョイストの底部分によって重ねられている平らな横木の底端に隣りあう位置に置かれている。
【０１７０】
直立している支持表面への固着のため、適切なラグボルトを受け入れるために複数の取り付け開口が、それぞれ頂部、底取り付けチャネルに一直線となっている２つの列の長さ方向に沿って間隔をあけた位置に、置かれている。各ジョイストコネクタ位置で、取り付け開口は、互いに、そして、ジョイストコネクタに、垂直に整列されているところで、頂部、底取り付けチャネルの双方に、与えられている。各取り付け開口位置で、追加の補強を与えるには、板２８を固着している複数の単一の留め具は、平らな横木の後壁を通って形成されている取り付け開口に一直線とするために、中にそれぞれ開口を備えている頂部、底取り付けチャネル内に、適切に受け入れられている。ラグボルトは、次に、固着されている板２０８と、直立に支持されている表面に対し平らな横木を固着するため、平らな横木の後壁内にある取り付け開口と、の間を通るように挿入される。
【０１７１】
前の実施例と同様に、平らな横木は、端から端へかけての構成内に相互接続されるように用意されている、複数のモジュールセクション８４内に形成されている。各セクション８４は、一方にオス構造と、対向する端にメス構造と、を含んでいる。各セクション内において、オス、メス構造は、組み合う方向に相対的に摺動することによって、互いに組み合いによる係合のために用意されている。前記組み合う方向は、第１実施例に記載しているように、ボードの長手方向に垂直な向きである。
【０１７２】
図４０に示されているように、留め具開口は、各モジュールセクション８４の端の双方に隣接して位置決めされており、この結果、２つの隣接するモジュールセクションのそれぞれのオス、メス構造の組み合いの位置で、取り付け開口は、モジュールセクションの双方の端で、頂部、底チャネル内に与えられるようになっている。
【０１７３】
適切な保持部材２１０は、組み合わされた構造にある２つの隣接するモジュールセクションを保持するのに用いられる。保持部材は、留め具固着板を備えている。該留め具固着板は、中に２つの対応する留め具開口を有している。保持部材が、頂部、底取り付けチャネルの各々の中に平らな横木の隣接モジュラーセクションのそれぞれの端に、位置している隣接している１対の留め具開口に重なることができるように、前記開口は、適切に位置決めされている。各保持部材２１０は、ただ１つのモジュラーセクションに重なっている解放位置から、それぞれ頂部、底チャネルに沿って平らな横木の長手方向に摺動可能なようになっており、この結果、モジュールセクションは、互いに、そして、第２位置に対して、組み合う方向に摺動可能になっている。前記位置において、保持部材は、更に組み合う方向への相対的な摺動を防ぐために、その相互接続で双方のモジュールセクションに重なり合っている。第２位置において、保持部材２１０の留め具開口は、ジョイストコネクタに対応する複数の中間位置で、取り付けられた状態にあることに加えて、各モジュールセクションの端で、直立している支持表面に固着するため、それを通じて、適切なラグボルトを受け入れるために、双方のモジュールセクション内の、留め具開口に一致している。
【０１７４】
図３９に示されているように、取り付けチャネル２０４、２０６は、また、チャネルの直面しているエッジの間に、摺動可能に受け入れられている取り付け板部分を有している気泡型水準器要素２１２を受け入れるために、適切に用意されている。
【０１７５】
前の実施例と同様に、最外位置にあるジョイスト９４は、平らな横木の端で組み合いによる係合に取り付けられるために与えられており、その中で、最外位置にあるジョイスト９４は、デッキアッセンブリの外側の完成したエッジを形成するために、平らな外側面を備えている。第２実施例のジョイスト９４は、ジョイストがその上部、下部部分双方を含んでいる単一ピースの突起として形成されている点で、相違する。第２実施例において、最外位置にあるジョイスト９４は、平らな横木の端に取り付けられている端ブラケット２１４によって、平らな横木に支持されている。端ブラケットは、平らな横木のそれぞれの取り付けチャネル内に摺動可能に受け入れられている取り付け部分２１６を含んでいる。そして、該端ブラケットは、その端で平らな横木の後壁内の開口に一直線となるように、中に留め具開口を含んでいる。端ブラケットは、それ故、端ブラケットの取り付け位置の開口と、平らな横木内の一合わせされている開口と、を通って伸びているラグボルトによって、平らな横木に保持されている。端ブラケットは、頂部フランジが、完成された開口に与えられるように平らな横木のドリップフランジの上に重なるのと同様に、最外位置にあるジョイスト９４の外側の平らな側面を覆うための、端フランジを含んでいる。
【０１７６】
第２実施例において、外板１０４は、ジョイストの端でフック、重なり部分の上で組み合うことによって、ジョイストの端を覆う、組み合いによる係合内に同様に取り付けられるように、用意されている。第１実施例とは逆に、しかしながら、図４２に示されているように、外板１０４は、ジョイストに固着するために上部、下部部分双方を含んでおり、かつ、中にレール用のソケットが配置されている、１ピースの押し出し成形物を備えている。
【０１７７】
より詳しくは、第２実施例によると、外板１０４は、第１部分を備えている。該第１部分は、ジョイストの上面と中間位置との双方で、上向きに面している上表面の上と組み合い、重なり合っている。外板１０４の底に隣接して、第１部分下に間隔をあけて設けられている、第２部分がある。該第２部分は、保持フランジ２１８を備えている。該保持フランジ２１８は、第１部分と、外板の残部と、に対して弾性的にばね付けされている。フランジ２１８は、その自由端にフックを含んでいる。該フックは、フックと、ジョイストの重なり部分と、の内に、組み合いによる係合内に外板を保持するために、ジョイストの下方に面している下部表面の真下で重なるように、組み合いによる係合のために用意されている。
【０１７８】
図４３に示されているように、杭の底端は、直径方向に対向する保持部分を含むため、前の実施例と同様に形成されている。該保持部分は、下部ソケットの各々に形成されている直径方向に対向する保持部分の対応する対と共に、固定位置での組み合いによる係合のために、用意されている。それぞれのソケット内の杭の底端の挿入と、次の、その中での回転とは、第１実施例に記載したとおり、それぞれ下部ソケットに杭をロックするように働く。
【０１７９】
図４４、４５に記載されているように、第２実施例によると、杭の上端と、レール部材の中に形成された上部ソケットとは、また、共に、杭がレール部材に対して回転されたときに、直径方向に対向するところで互いに組み合い係合するために、用意された、直径方向に対向する保持部分を含んでいる。
【０１８０】
第２実施例は、それぞれのソケット内で固定位置にある杭を保持する方法において、第１実施例と異なっている。より詳しくは、各杭の上端の各々に直径方向に対向している位置に形成された２つの保持部分の１つは、杭部材に対して弾性的なばねであるロック要素２２０を含んでいる。ロック要素のカム面は、それぞれ上部ソケットとの係合を回転することによって、解放位置へと、ロック要素が自動的に弾性的にたわむようにする。しかしながら、固定位置に達することによって、ロック要素２２０は、バイアスされていない状態の固定位置へと戻ることを可能にする。該位置は、ロック要素がその解放位置にそるまで、解放位置へと逆回転することを防ぐ上部ソケット上、に対応するはめ合い表面を重ねるものである。この構成は、図４５に示されているように、レール部材が、同時に全ての杭部材の上端の上に取り付けられている１ピースの押し出し成形物として形成されることを可能にする。
【０１８１】
前の実施例と同様に、壁ブラケット１９０は、デッキシステムが組み立てられる直立している支持表面に、レール部材の端を固着するために与えられている。壁ブラケットは、２ピース構造を備えている。該２ピース構造は、直立している支持表面に対し固着するために、中に止め具開口を有している端壁に一体形成されている下部部分を有している。上部部分は、下部部分の上にスナップフィットするように用意されており、この結果、２つの部分は、一緒にレール部材の外形を完全に囲むように用意することができる。
【０１８２】
壁ブラケットに対してレール部材の長手方向にレール部材を固定するため、アダプタブラケット１８２は、レール部材内に固定され、レール部材に対して壁ブラケットの多少の調節を可能にするように、それに沿う多数の長手方向の位置の１つで、壁ブラケットに内側で取り付けられている。より詳しくは、アダプタブラケット８２は、壁ブラケットの底壁内の長手方向に伸びているスロットに一直線と成るように、中に取り付け開口を含んでいる、水平フランジを含んでいる。留め具は、壁ブラケット１９０に対するアダプタブラケットの長手方向の位置を固定するために、開口とスロットとを通って伸びるように位置決めできる。アダプタブラケットの内側端は、レール部材の端で、上部ソケットの１つに一直線とするように、中に形成されているソケットを含んでいる。レール部材の端にアダプタブラケットを挿入し、かつ、中にあるソケットを、レール部材の端で上部ソケットと一直線にすることによって、レール部材の端で杭部材をそのソケットへと挿入することは、アダプタブラケットに対し、レール部材を固定する。該アダプタブラケットは、レール部材の端を直立している支持表面へと固着させるために、壁ブラケットと、直立支持表面とに対して、順に固定することができるものである。
【０１８３】
また、前の実施例と同様に、デッキのコーナーで、コーナー柱１９２は、与えられており、該コーナー柱１９２は、デッキ表面のコーナーで最外位置にあるジョイストに外板を接続している唯一のコーナーブラケット内で取り付けられている。コーナー柱１９２の上端は、レール部材のコーナーブラケット内に受け入れられている。該レール部材は、デッキのコーナーで一緒に、互いに対して垂直に方向付けられた２つのレールの端を接続している。コーアーブラケットは、２ピース構造のものである。該２ピース構造は、上部部分と、間に受け入れられている２つのレール部材の端を備えている下部部分に、下方でスナップフィットするように用意されている上部部分と、を含んでいる。位置決め棟２２２は、２つのレール部材の底壁に形成されている対応する溝内にはめ合いによって受け入れられているように、その端の双方でコーナーブラケットの底壁内に位置決めされている。位置決め棟２２２と、レールの端に形成された溝と、の組み合いによる係合は、一度、ブラケットの上部部分と下部部分とが、要望に応じてスナップ接続又は隠しとめ具を一緒に用いて留められると、コーナーブラケットの外にレールが長手方向に摺動することを防ぐ。
【０１８４】
第２実施例において、階段システムは、前の実施例と実質的に同じ機能を与えるものである。図４８に示されているように、しかしながら、階段上のレールは、レール部材２２４がレールの底壁に切られた開口を備えている杭の上端を受け入れるために上部ソケットを備えている単一の一体的に押し出し成形された本体を備えている、という点で前の実施例と異なる。杭の底端は、前の実施例のように、スレッド部材内の下部ソケットへと挿入されており、この結果、杭の直立している軸周りの回転は、杭部材をスレッドに対して固定位置へと回転できるようになっている。杭の上端は、くいがスレッド部材に対して固定位置へと回転されるまでは、レール部材２２４に組み合わされていない。
【０１８５】
第２実施例において、ロック要素２２６は、杭の長さに沿う中間位置の解放位置から、それぞれレール２２４内の上部ソケット内に受け入れられている杭の上端の固定位置へと、各杭部材に沿う長手方向の摺動を与えている。レール２２４内の上部ソケットと、中に受け入れられているロック要素２２６との双方は、レールの長手方向に伸びており、この結果、ロック要素は、杭部材がそれぞれ下部ソケットに対して固定位置へと、その底端で回転されるまで、それぞれのソケットへと位置合わせし、挿入することができないようになっている。杭部材のはめ合いを行う正方形断面と、杭部材がそこを通って受け入れられるロック要素内の開口とは、ロック要素がそれぞれ、その垂直の長手方向の軸周りに杭部材と共に回転される、ということを確実にするものである。
【０１８６】
レール部材を備えている杭の上端を組み合わすため、ロック要素は、それぞれレール部材内の上部ソケット内へと垂直上方に摺動され、次に、それぞれ各ロック部材上の保持要素２２８によって定めた位置に保持される。保持要素は、ロック要素の本体と杭部材とに対して弾性的にばね付けされた部材を備えている。前記杭部材は、カム面を備えている外層を有している。該カム面は、ロック要素をソケットへと挿入することによって上部ソケットに組み合いによる係合をさせることによって、ばね付けされた位置へと保持要素を自動的に移動させるものである。一度、上部ソケットへ完全に挿入されると、保持要素２２８の大部分はレール部材の空洞内部に受け入れられ、この結果、保持部材は、レール部材の内側に上部ソケットのエッジを越えて覆う係合内のばね付けされていない位置へと戻ることを可能にするようになっている。レール部材の内部表面を備えている保持要素の重なりは、保持要素２２８が下から手動で除去されるまで、上部ソケットからロック要素の垂直の摺動による除去を防いでいる。
【０１８７】
種々の改良が、上述したように、本発明において作ることができる。そして、同様に、多くの、見たところ、大きく異なる実施例が、請求の範囲の精神と範囲とから逸脱することなく、前記精神と範囲との範囲内において作られる。添付明細書に含まれている全ての事項は、説明としてであって、限定するように解釈すべきものではない。
【図１】
2014001623.tif 000003
【図２】
2014001623.tif 000004
【図３】
2014001623.tif 000005
【図４】
2014001623.tif 000006
【図５】
2014001623.tif 000007
【図６】
2014001623.tif 000008
【図７】
2014001623.tif 000009
【図８】
2014001623.tif 000010
【図９】
2014001623.tif 000011
【図１０】
2014001623.tif 000012
【図１１】
2014001623.tif 000013
【図１２】
2014001623.tif 000014
【図１３】
2014001623.tif 000015
【図１４】
2014001623.tif 000016
【図１５】
2014001623.tif 000017
【図１６】
2014001623.tif 000018
【図１７】
2014001623.tif 000019
【図１８】
2014001623.tif 000020
【図１９】
2014001623.tif 000021
【図２０】
2014001623.tif 000022
【図２１】
2014001623.tif 000023
【図２２】
2014001623.tif 000024
【図２３】
2014001623.tif 000025
【図２４】
2014001623.tif 000026
【図２５】
2014001623.tif 000027
【図２６】
2014001623.tif 000028
【図２７】
2014001623.tif 000029
【図２８】
2014001623.tif 000030
【図２９】
2014001623.tif 000031
【図３０】
2014001623.tif 000032
【図３１】
2014001623.tif 000033
【図３２】
2014001623.tif 000034
【図３３】
2014001623.tif 000035
【図３４】
2014001623.tif 000036
【図３５】
2014001623.tif 000037
【図３６】
2014001623.tif 000038
【図３７】
2014001623.tif 000039
【図３８】
2014001623.tif 000040
【図３９】
2014001623.tif 000041
【図４０】
2014001623.tif 000042
【図４１】
2014001623.tif 000043
【図４２】
2014001623.tif 000044
【図４３】
2014001623.tif 000045
【図４４】
2014001623.tif 000046
【図４５】
2014001623.tif 000047
【図４６】
2014001623.tif 000048
【図４７】
2014001623.tif 000049
【図４８】
2014001623.tif 000050